(57)【要約】      （修正有）【課題】施設内の環境状態をモニタリングして環境状態に起因する疾病の発生の危険性を把握する施設内監視システム、施設内監視装置およびコンピュータプログラムを提供する。【解決手段】施設内監視システム１００は、施設内の複数の区画の位置を示した区画配置図を表示する表示部３２と、前記区画毎に設けられ、疾病の発生の危険度と関連する環境パラメータを計測するセンサ６０と、前記センサから出力される前記環境パラメータ５０の計測値に基づいて、各区画における疾病の発生の危険度を表す環境状態を前記区画配置図に識別可能に表示させる表示データ４０を生成する制御部２１ａと、を備える。【選択図】図１
2019079136.tif 000002
【特許請求の範囲】
【請求項１】
施設内の複数の区画の位置を示した区画配置図を表示する表示部と、
前記区画毎に設けられ、疾病の発生の危険度と関連する環境パラメータを計測するセンサと、
前記センサから出力される前記環境パラメータの計測値に基づいて、各区画における疾病の発生の危険度を表す環境状態を前記区画配置図に識別可能に表示させる表示データを生成する制御部と、
を備える、施設内監視システム。
【請求項２】
前記システムはさらに記憶部を備え、前記記憶部は前記環境パラメータの基準範囲を記憶し、
前記制御部は、前記環境パラメータの計測値がその基準範囲を外れた区画について、環境状態が良好でないと判定する、請求項１に記載のシステム。
【請求項３】
前記システムはさらに記憶部を備え、前記記憶部は前記環境パラメータの基準範囲を記憶し、
前記制御部は、前記環境パラメータの計測値から、各区画における疾病の発生の危険度を表す環境状態を示す指標を求め、前記指標がその基準範囲を超えた区画について環境状態が良好でないと判定する、請求項１に記載のシステム。
【請求項４】
前記記憶部は、疾病の種類に応じた基準範囲を記憶する、請求項２または３に記載のシステム。
【請求項５】
前記環境パラメータが、温度情報、湿度情報および換気情報よりなる群から選択される少なくとも一つである、請求項１から４のいずれか一項に記載のシステム。
【請求項６】
前記疾病が、感染症または熱中症である、請求項１から５のいずれか一項に記載のシステム。
【請求項７】
前記感染症が、飛沫感染症である、請求項１から６のいずれか一項に記載のシステム。
【請求項８】
前記飛沫感染症が、ウイルス、真菌、および細菌よりなる群から選択される少なくとも一種に起因するものである、請求項７に記載のシステム。
【請求項９】
前記ウイルスが、インフルエンザウイルス、ＲＳウイルス、アデノウイルス、ライノウイルス、コロナウイルス、およびパラインフルエンザウイルスよりなる群から選択される少なくとも一種であり、
前記真菌が、カンジダ菌、放線菌、ジオトリクム菌、アスペルギルス菌、クリプトコックス菌、およびノカルジア菌よりなる群から選択される少なくとも一種であり、
前記細菌が、マイコプラズマ、レジオネラ菌、へモフィルス菌、肺炎双球菌、および百日咳菌よりなる群から選択される少なくとも一種である、
請求項８に記載のシステム。
【請求項１０】
前記センサは、前記環境パラメータを経時的に計測し、
前記制御部は、前記センサが経時的に計測した環境パラメータの計測値を記憶部に記録し、前記環境パラメータの経時的な計測値に基づいて、各区画の環境状態が良好であるか否かを判定する、請求項２から６のいずれかに記載のシステム。
【請求項１１】
前記制御部は、区画毎の環境状態に応じた注意喚起レベルを前記施設内区画配置図に識別可能に表示させるための注意通知データを生成する、請求項１から１０のいずれかに記載のシステム。
【請求項１２】
前記注意喚起レベルはマーク、色、アイコン、文字、または数値で識別可能に表示される、請求項１１に記載のシステム。
【請求項１３】
前記制御部は、環境状態が良好でない区画がある場合、予め設定された携帯端末に、該当する区画の前記環境状態を通知する、請求項１から１２のいずれかに記載のシステム。
【請求項１４】
前記制御部は、環境状態が良好でない区画がある場合、該当する区画の前記環境パラメータを前記表示部に表示させる、請求項１から１３のいずれかに記載のシステム。
【請求項１５】
前記施設は、複数の人を収容可能である、請求項１から１４のいずれか一項に記載のシステム。
【請求項１６】
前記施設は、医療施設、教育施設、および福祉施設よりなる群から選択される少なくとも一つである、請求項１から１５のいずれか一項に記載のシステム。
【請求項１７】
前記施設は医療施設であり、
前記区画は病室である、請求項１から１６のいずれか一項に記載のシステム。
【請求項１８】
前記感染症が院内感染である、請求項６から１７のいずれか一項に記載のシステム。
【請求項１９】
前記区画配置図には、前記区画に滞在している人物に関する人物情報が表示される、請求項１から１８のいずれか一項に記載のシステム。
【請求項２０】
前記人物情報は、前記人物が罹患している疾病に関する情報を含む、請求項１９に記載のシステム。
【請求項２１】
記憶部と制御部とを備える施設内監視装置であって、前記装置は、表示部を備えたクライアント装置に接続され、
前記記憶部が、施設内の複数の区画の位置を示した区画配置図を記憶しており、
前記制御部が、前記区画毎に設けられたセンサから出力される、前記区画毎の疾病の発生の危険度と関連する環境パラメータを取得し、取得した前記環境パラメータに基づいて、各区画における疾病の発生の危険度を表す環境状態を前記区画配置図に識別可能に表示させる表示データを作成し、作成した前記表示データを前記クライアント装置に送信する、施設内監視装置。
【請求項２２】
表示部を備えたクライアント装置に接続され、施設内の複数の区画の位置を示した区画配置図を記憶した記憶部と、制御部とを備える施設内監視装置としてコンピュータを機能させるプログラムであって、
前記制御部に、前記区画毎に設けられたセンサから出力される、疾病の発生の危険度と関連する環境パラメータを取得する処理、
取得した前記区画毎の環境パラメータに基づいて、各区画における疾病の発生の危険度を表す環境状態を前記区画配置図に識別可能に表示させる表示データを生成する処理、および
作成した前記表示データを前記クライアント装置に送信する処理を制御部に実行させる、プログラム。
【請求項２３】
施設内の複数の区画毎に設けられたセンサから取得される、前記区画内の疾病の発生の危険度と関連する環境パラメータの計測値に基づいて、前記施設内の各区画の位置を示す区画配置図に、各区画における疾病の発生の危険度を表す環境状態を識別可能に表示させるための表示データを生成する工程を含む、施設内監視方法。
【請求項２４】
表示データ生成工程の後に、さらに、前記区画配置図に、前記環境状態を識別可能に表示する工程を含む、請求項２３に記載の方法。
【発明の詳細な説明】
【技術分野】
【０００１】
本発明は、施設内監視システム、施設内監視装置、およびコンピュータプログラムに関する。
【背景技術】
【０００２】
特許文献１には、院内感染をモニタリングするシステムが記載されている（図１９Ａ）。特許文献１に記載の感染情報提供システムによると、病院施設内における病棟の配置位置を示す病棟マップ（図１９Ｂ）等に、患者が感染している病原体を識別するための病原体識別情報を識別可能に表示することができる。
【先行技術文献】
【特許文献】
【０００３】
【特許文献１】特開２０１２−２２６５７１号公報
【発明の概要】
【発明が解決しようとする課題】
【０００４】
施設内の温度および湿度等の環境状態の悪化により、様々な疾病が発生することが知られている。つまり、例えば、１２月から３月に見られるインフルエンザの流行には、特に気温と湿度が関わっており、施設内を適度な湿度（５０〜６０％）に保つことは、インフルエンザウイルスの感染を防ぐために有効であるとされている。一方、夏場のエアコンが使用されていない室内では、熱中症が発生し、重篤な例では高齢者の死亡例も報告されている。
【０００５】
施設内の環境状態をモニタリングし、環境状態を適正に保つことは、感染症の蔓延や、熱中症等の環境因子に起因する疾病を防ぐ上で重要である。しかし、特許文献１に記載のシステムでは、患者が既に感染している病原体の情報に基づいて、院内感染の情報を識別可能に表示するため、施設内の環境状態に起因し発生しうる疾病の危険性を把握することはできない。
【０００６】
上記先行技術に鑑み、本発明は、施設内の環境状態をモニタリングして環境状態に起因する疾病の発生の危険性を把握できる。また、ユーザに病室等の各区画における環境状態を迅速に把握させる方法を提供することを一課題とする。
【課題を解決するための手段】
【０００７】
本発明の一実施形態は、施設内の複数の区画の位置を示した区画配置図を表示する表示部（３２）と、前記区画毎に設けられ、疾病の発生の危険度と関連する環境パラメータ（５０）を計測するセンサ（６０）と、前記センサから出力される前記環境パラメータ（５０）の計測値に基づいて、各区画における疾病の発生の危険度を表す環境状態を前記区画配置図に識別可能に表示させる表示データ（４０）を生成する制御部（２１ａ）と、を備える、施設内監視システム（１００）に関する。本実施形態によれば、センサにより施設内の環境状態をモニタリングし、環境状態に起因する疾病の発生の危険性をユーザに把握させるための表示データを生成することができる。
【０００８】
本発明の一実施形態において、施設内監視システム（１００）は、さらに記憶部を備え、前記記憶部（２１ｄ）は前記環境パラメータの基準範囲を記憶し、前記制御部（２１ａ）は、前記環境パラメータ（５０）の計測値がその基準範囲を外れた区画について、環境状態が良好でないと判定する。本実施形態によれば、環境状態が良好でない区画を把握させるための表示データを生成することができる。
【０００９】
本発明の一実施形態において、施設内監視システム（１００）は、さらに記憶部を備え、前記記憶部（２１ｄ）は前記環境パラメータの基準範囲を記憶し、前記制御部（２１ａ）は、前記環境パラメータ（５０）の計測値から、各区画における疾病の発生の危険度を表す環境状態を示す指標を求め、前記指標がその基準範囲を超えた区画について環境状態が良好でないと判定する。本実施形態によれば、複数の環境パラメータ（５０）から環境状態を示す指標を求めることにより、前記指数から環境状態が良好でない区画を把握させるための表示データを生成することができる。
【００１０】
本発明の一実施形態において、前記記憶部（２１ｄ）は、疾病の種類に応じた基準範囲を記憶する。本実施形態によれば、基準範囲を疾病毎に定めることにより、疾病に応じた環境状態を把握させるための表示データを生成することができる。
【００１１】
本発明の一実施形態は、施設内監視システム（１００）において、前記環境パラメータ（５０）は、温度情報、湿度情報および換気情報よりなる群から選択される少なくとも一つである。本実施形態によれば、特に温度、湿度または換気回数に関連する疾病について環境状態を把握させるための表示データを生成することができる。
【００１２】
本発明の一実施形態は、施設内監視システム（１００）において、前記疾病が、感染症または熱中症である。本実施形態によれば、特に感染症または熱中症に関連する環境状態を把握させるための表示データを生成することができる。
【００１３】
本発明の一実施形態は、施設内監視システム（１００）において、前記感染症は、飛沫感染症である。本実施形態によれば、特に飛沫感染症に関連する環境状態を把握させるための表示データを生成することができる。
【００１４】
本発明の一実施形態は、施設内監視システム（１００）において、前記飛沫感染症は、ウイルス、真菌、および細菌よりなる群から選択される少なくとも一種に起因するものである。本実施形態によれば、特にウイルス、真菌、または細菌に関連する環境状態を把握させるための表示データを生成することができる。
【００１５】
本発明の一実施形態は、施設内監視システム（１００）において、前記ウイルスは、インフルエンザウイルス、ＲＳウイルス、アデノウイルス、ライノウイルス、コロナウイルス、およびパラインフルエンザウイルスよりなる群から選択される少なくとも一種であり、前記真菌は、カンジダ菌、放線菌、ジオトリクム菌、アスペルギルス菌、クリプトコックス菌、およびノカルジア菌よりなる群から選択される少なくとも一種であり、前記細菌は、マイコプラズマ、レジオネラ菌、へモフィルス菌、肺炎双球菌、および百日咳菌よりなる群から選択される少なくとも一種である。本実施形態によれば、前記病原体に関連する環境状態を把握させるための表示データを生成することができる。
【００１６】
本発明の一実施形態は、施設内監視システム（１００）において、前記センサは、前記環境パラメータ（５０）を経時的に計測し、前記制御部（２１ａ）は、前記センサが経時的に計測した環境パラメータ（５０）の計測値を記憶部に記録し、前記環境パラメータ（５０）の経時的な計測値に基づいて、各区画の環境状態が良好であるか否かを判定する。本実施形態によれば、環境状態の経時的なモニタリング結果に基づいて、疾病の発生に関連する環境状態を把握させるための表示データを生成することができる。
【００１７】
本発明の一実施形態は、施設内監視システム（１００）において、前記制御部（２１ａ）は、区画毎の環境状態に応じた注意喚起レベルを前記施設内区画配置図に識別可能に表示させるための注意通知データを生成する。本実施形態によれば、区画毎の環境状態に応じた注意喚起レベルをユーザに把握させるための注意通知データを生成することができる。
【００１８】
本発明の一実施形態は、施設内監視システム（１００）において、前記注意喚起レベルはマーク、色、アイコン、文字、及び数値から選択される少なくとも一つで識別可能に表示される。本発明の実施形態によれば、ユーザは、どこの区画において環境状態が良好でなくなっているかを区画配置図上で一目で把握することができる。
【００１９】
本発明の一実施形態は、施設内監視システム（１００）において、前記制御部（２１ａ）は、環境状態が良好でない区画がある場合、予め設定された携帯端末（４００）に、該当する区画の前記環境状態を通知する。本実施形態によれば、ユーザは、例えば表示部（３２）の近くにいなくとも、環境状態が良好でなくなった区画があること、それがどこの区画であるかを把握することができる。
【００２０】
本発明の一実施形態は、施設内監視システム（１００）において、前記制御部（２１ａ）は、環境状態が良好でない区画がある場合、該当する区画の前記環境パラメータ（５０）を前記表示部に表示させる。本実施形態によれば、ユーザは、どの環境パラメータを適切になるように制御しなければならないかを一目で把握することができる。
【００２１】
本発明の一実施形態は、施設内監視システム（１００）において、前記施設は、複数の人を収容可能である。本実施形態によれば、複数の人を収容可能な施設において、ユーザに環境状態を把握させるための表示データを生成することができる。このことは、集団感染等の防止の一助となる。
【００２２】
本発明の一実施形態は、施設内監視システム（１００）において、前記施設は、医療施設、教育施設、および福祉施設よりなる群から選択される少なくとも一つである。本実施形態によれば、医療施設、教育施設、および福祉施設等の疾病の蔓延について特に注意を払わなければならない施設において、ユーザに環境状態を把握させるための表示データを生成することができる。このことは、集団感染等の防止の一助となる。
【００２３】
本発明の一実施形態は、施設内監視システム（１００）において、前記施設は医療施設であり、前記区画は病室である。本実施形態によれば、特に医療施設において、ユーザに環境状態を把握させるための表示データを生成することができる。このことは、病院における新たな疾病発生防止の一助となる。
【００２４】
本発明の一実施形態は、施設内監視システム（１００）において、前記感染症は院内感染である。本実施形態によれば、特に医療施設において、ユーザに環境状態を把握させるための表示データを生成することができる。このことは、院内感染防止の一助となる。
【００２５】
本発明の一実施形態は、施設内監視システム（１００）において、前記区画配置図には、前記区画に滞在している人物に関する人物情報が表示される。本実施形態によれば、環境状態が良好でなくなった区画と、その区画に滞在している人物がどのような者であるかについても同時に把握することができる。
【００２６】
本発明の一実施形態は、施設内監視システム（１００）において、前記人物情報は、前記人物が罹患している疾病に関する情報を含む。本実施形態によれば、環境状態が良好でなくなった区画と、その区画に滞在している人物がどのような疾病を有しているかについても同時に把握することができる。
【００２７】
本発明の一実施形態は、記憶部（２１ｄ）と制御部（２１ａ）とを備える施設内監視装置（２００）であって、前記装置（２００）は、表示部（３２）を備えたクライアント装置（３００）に接続され、前記記憶部（２１ｄ）が、施設内の複数の区画の位置を示した区画配置図を記憶しており、前記制御部が、前記区画毎に設けられたセンサ（６０）から出力される、前記区画毎の疾病の発生の危険度と関連する環境パラメータ（５０）を取得し、取得した前記環境パラメータ（５０）に基づいて、各区画における疾病の発生の危険度を表す環境状態を前記区画配置図に識別可能に表示させる表示データ（４０）を作成し、作成した前記表示データを前記クライアント装置（３００）に送信する、施設内監視装置（２００）に関する。本実施形態によれば、センサにより施設内の環境状態をモニタリングし、環境状態に起因する疾病の発生の危険性をユーザに把握させるための表示データを生成することができる。
【００２８】
本発明の一実施形態は、表示部を備えたクライアント装置（３００）に接続され、施設内の複数の区画の位置を示した区画配置図を記憶した記憶部（２１ｄ）と、制御部（２１ａ）とを備える施設内監視装置（２００）としてコンピュータを機能させるプログラムであって、前記制御部（２１ａ）に、前記区画毎に設けられたセンサ（６０）から出力される、疾病の発生の危険度と関連する環境パラメータ（５０）を取得する処理、取得した前記区画毎の環境パラメータ（５０）に基づいて、各区画における疾病の発生の危険度を表す環境状態を前記区画配置図に識別可能に表示させる表示データ（４０）を生成する処理、および、作成した前記表示データを前記クライアント装置（３００）に送信する処理を制御部（３２）に実行させる、プログラムに関する。本実施形態によれば、センサにより施設内の環境状態をモニタリングし、環境状態に起因する疾病の発生の危険性をユーザに把握させるための表示データを生成することができる。
【００２９】
本発明の一実施形態は、施設内の複数の区画毎に設けられたセンサ（６０）から取得される、前記区画内の疾病の発生の危険度と関連する環境パラメータ（５０）の計測値に基づいて、前記施設内の各区画の位置を示す区画配置図に、各区画における疾病の発生の危険度を表す環境状態を識別可能に表示させる表示データを生成する工程と、前記区画配置図に、前記環境状態を識別可能に表示する工程と、を含む、施設内監視方法に関する。本実施形態によれば、センサにより施設内の環境状態をモニタリングし取得されたデータに基づいて、環境状態に起因する疾病の発生の危険性をユーザに把握させるための表示データを生成することができる。
【発明の効果】
【００３０】
本発明によると、区画毎の環境パラメータに基づいて、環境状態に起因する疾病の発生の危険性を監視できる。またユーザに、病室等の各区画の環境状態を迅速に把握させることができる。
【図面の簡単な説明】
【００３１】
【図１】実施形態に係る施設内監視システムのクライアント装置における画面表示の一例である。
【図２】実施形態に係る施設内監視システムの全体構成を示す模式図である。
【図３】施設内監視装置のハードウェア構成を示すブロック図である。
【図４】施設内監視装置の記憶部に記憶された各種データベースの構成を示す模式図である。
【図５】クライアント装置のハードウェア構成を示すブロック図である。
【図６】携帯情報端末のハードウェア構成を示すブロック図である。
【図７】メニュー画面の画面表示の一例である。
【図８】病棟マップの画面表示の一例である。
【図９】フロアマップの画面表示の一例である。
【図１０】区画マップの画面表示の一例である。
【図１１】施設マップ表示処理の手順を示すフローチャートである。
【図１２】病棟マップの画面表示の一例である。
【図１３】フロアマップの画面表示の一例である。
【図１４】区画マップの画面表示の一例である。
【図１５】注意通知表示処理の手順を示すフローチャートである。
【図１６】Ａは温度の基準範囲と判定結果を示すテーブルである。Ｂは湿度の基準範囲と判定結果を示すテーブルである。Ｃは温度と湿度を組み合わせた基準範囲と判定結果を示すテーブルである。Ｄは、経時的に記録された計測値と判定結果を示すテーブルである。
【図１７】ヒートインデックスの一例を示す図である。
【図１８】注意通知をマウスでポイントしたときに、良好でないと判定された環境パラメータの項目を示す例である。
【図１９】特許文献１に記載の従来技術を示す図である。Ａはシステムの全体構成を示す。Ｂは、病棟マップの一例である。
【図２０】ユーザが基準範囲を任意に設定する際の入力画面の表示例である。
【発明を実施するための形態】
【００３２】
以下、本発明の実施形態を、添付の図面を参照して詳細に説明する。なお、以下の説明および図面において、同一の符号は同じまたは類似の構成要素を示すこととし、よって、同一または類似の構成要素に関する説明を省略する。なお、本発明は、以下に説明する具体的な実施形態に限定されるものでない。
【００３３】
［発明の概要］
はじめに、図１を用いて本発明の一実施形態の概要を示す。本発明の一実施形態に係る施設内監視システム１００（以下、単にシステム１００とする）は、施設９００内の環境の状態を監視するために用いられる。前記環境状態は、例えば、疾病の発生に関連する環境の状態であり、環境に依存した疾病の発生のリスク（危険度）を反映する。前記環境状態は、好ましくは、環境因子（温度、湿度、換気回数および光（例えば紫外線）等）の計測情報（例えば計測値）によって示される。より好ましくは、前記環境状態は、温度、湿度、換気回数および光（例えば紫外線）等から選択される少なくとも一種の状態を示す。さらに好ましくは、前記環境状態は、温度および湿度から選択される少なくとも一種の状態を示す。本実施態様において疾病は、好ましくは施設内の温度、湿度、換気回数および光（例えば紫外線）等の量等に関連する環境パラメータ５０の悪化により発症しうるものである。そのような疾病としては、例えば、熱中症または感染症等を挙げることができる。感染症としては、飛沫感染等の集団感染につながりやすい感染症を挙げることができる。飛沫感染を起こしやすい病原体としては、インフルエンザウイルス、ＲＳウイルス、アデノウイルス、ライノウイルス、コロナウイルス、およびパラインフルエンザウイルス等のウイルス；カンジダ菌、放線菌、ジオトリクム菌、アスペルギルス菌、クリプトコックス菌、およびノカルジア菌等の真菌；マイコプラズマ、レジオネラ菌、へモフィルス菌、肺炎双球菌、および百日咳菌等の細菌を挙げることができる。また、感染症としては、院内感染に起因するものを挙げることができる。
【００３４】
システム１００は、例えば、図１に示すように、施設内に配置された複数の区画について、各区画に設けられたセンサ６０を備える。センサ６０は、疾病の発生の危険度と関連する区画内の環境パラメータ５０を計測する。また、システム１００は、前記複数の区画の位置を示したフロアマップＭ３０１等の施設内区画配置図（施設マップともいう）を表示する表示部３２を備える。
【００３５】
さらに、システム１００は、前記センサ６０から出力される前記環境パラメータ５０の計測値に基づいて、各区画における前記環境状態を施設内区画配置図に識別可能に表示させるための表示データ（注意通知表示データ）４０を生成する制御部２１ａと、を備える。注意通知表示データ４０には、例えば、フロアマップＭ３０１に、前記環境状態が良好でない区画について表示する注意通知Ｃ２２１、Ｃ２２２が含まれる。
【００３６】
図１に例示するフロアマップＭ３０１では、区画番号「７１０１」の区画に注意通知Ｃ２２１が表示され、区画番号「７１０２」および区画番号「７１１５」の区画に注意通知Ｃ２２２が表示されている。注意通知Ｃ２２１は、円形枠に囲まれた２つの感嘆符を含むアイコンであり、環境状態が非常に悪化しており、注意喚起レベルが高い、すなわち疾病が発生する危険性が非常に高い「警告」であることを示している。また、注意通知Ｃ２２１は、前記疾病がインフルエンザであることを示している。この疾病の表示は任意である。注意通知Ｃ２２２は、円形枠に囲まれた１つの感嘆符を含むアイコンであり、環境状態が比較的悪化しており、注意喚起レベルが低い「要注意」であることを示している。また、注意通知Ｃ２２２は、前記疾病が熱中症であることを示している。この疾病の表示は任意である。環境状態が良好な区画には、注意通知Ｃ２２１，Ｃ２２２は表示されない。
【００３７】
例えば、ナースステーションに配置された表示部３２に表示される図１のフロアマップＭ３０１における注意通知Ｃ２２１，Ｃ２２２を確認することにより、例えば看護師は、環境状態が良好でない区画を確実に把握することが可能となる。したがって、看護師は、環境状態が良好でない区画の環境状態を改善するための措置を速やかに施すことができる。
【００３８】
例えば図１に示す例では、区画番号「７１０１」、「７１０２」および「７１１５」の区画の環境状態が良好でないことが容易に把握できる。したがって、看護師は、これらの区画において例えば加湿器または除湿器を追加で運転させたり、エアコンの設定温度を調節したり、換気扇を動作させて積極的に換気を行う等の対策を速やかに施すことが可能となる。
【００３９】
ここで、前記施設９００は、複数の人を収容できる限り制限されない。例えば、施設９００としては、病院等の医療施設；学校等の教育施設；デイケアセンタ、保育園、幼稚園、老人福祉施設等の福祉施設等を挙げることができる。
【００４０】
また、前記区画は、施設９００内に設けられた建物（棟）であってもよい。また前記区画は、前記棟内において壁、パーティションおよび／または戸等によって周りの空間と隔てられた部屋等の空間であってもよいが、一部が開放された廊下、スペース等であってもよい。また、前記区画は、各病室内の一人の患者が使用するベッド周辺（目安としては、例えば就寝時等にベッド周辺に張られるカーテンの範囲）であってもよい。例えば、施設９００が医療施設である場合には、区画として病棟、病棟フロア、病室等を挙げることができる。
【００４１】
［システムの構成］
以下では、医療施設を一例として、図２を用いてシステム１００の構成を説明する。しかし本発明の実施形態は、医療施設に限定して解釈されるものではない。システム１００は、少なくとも各区画に設けられたセンサ６０と、制御部（ＣＰＵ）２１ａを備える施設内監視装置２００（以下、監視装置２００ともいう）と、表示部３２とを備える。表示部３２は、クライアント装置３００と接続されている。システム１００において、監視装置２００とクライアント装置３００とが通信ネットワーク８０を介して互いに接続されている。
【００４２】
センサ６０は、施設９００の各区画に設けられる。センサ６０は、各区画の任意の箇所に設けることができるが、病棟毎、病室毎、または入院患者のベッド毎に、より詳細には患者の頭部側のベッド脇に配置されていることが好ましい。センサ６０は通信部６０ｂを有している。センサ６０の通信部６０ｂは、例えばＷｉ−Ｆｉ（登録商標）ルータ等の無線装置７０に接続し、さらに通信ネットワーク８０に接続される。通信ネットワーク８０は、有線ネットワークであってもよいし、無線ネットワークであってもよい。各区画に設けられたセンサ６０は、計測した環境パラメータ５０の値を監視装置２００に送信する。
【００４３】
監視装置２００は、センサ６０から収集した環境パラメータ５０の計測値に基づいて、区画毎に環境状態を判定し、判定結果をクライアント装置３００に送信する。監視装置２００は、施設内に設置されていてもよいが、施設外に設置されていてもよい。
【００４４】
クライアント装置３００は、例えば医師および看護師等の医療従事者（以下、ユーザとする）によって使用され、例えばナースステーション等に設置される。クライアント装置３００は、監視装置２００から送信される環境状態の判定結果を、表示部３２に、施設内の区画配置図（例えば、図１に示す病室マップＭ３０１）と共に表示する。
【００４５】
システム１００は、例えばスマートフォン、タブレット端末、ラップトップ・コンピュータ等の携帯端末４００をさらに備えることができる。携帯端末４００は、主に施設９００内においてユーザによって使用され、監視装置２００から送信される環境状態の判定結果が通知される。また、携帯端末４００は、判定結果と共に、施設内の区画の配置図を表示することもできる。
【００４６】
［ハードウェアの構成］
＜施設内監視装置＞
図３に示すように、監視装置２００は、例えば汎用のコンピュータによって実現される。監視装置２００は、本体２１と、表示部２２と、入力部２３とを備える。表示部２２および入力部２３は任意の構成である。本体２１は、ＣＰＵ（Ｃｅｎｔｒａｌ  Ｐｒｏｃｅｓｓｉｎｇ  Ｕｎｉｔ）２１ａ、ＲＯＭ（ｒｅａｄ  ｏｎｌｙ  ｍｅｍｏｒｙ）２１ｂ、ＲＡＭ（Ｒａｎｄｏｍ  ａｃｃｅｓｓ  ｍｅｍｏｒｙ）２１ｃ、記憶部２１ｄ、メディアインタフェース２１ｅ、入力インタフェース２１ｆ、通信インタフェース２１ｇ、および出力インタフェース２１ｈを備えている。ＣＰＵ２１ａ、ＲＯＭ２１ｂ、ＲＡＭ２１ｃ、記憶部２１ｄ、メディアインタフェース２１ｅ、入力インタフェース２１ｆ、通信インタフェース２１ｇ、および出力インタフェース２１ｈは、バス２１ｊによって接続されている。記憶部２１ｄは、ハードディスクまたはＳＳＤ等により実現されている。
【００４７】
記憶部２１ｄには、オペレーティングシステムおよびアプリケーションプログラム等、ＣＰＵ２１ａに実行させるための種々のコンピュータプログラムと、コンピュータプログラムの実行に用いられるデータとがインストールされている。また、後述する図４に示す各種データベースが記憶される。さらに、後述する監視装置２００動作用のコンピュータプログラム２４ａも、この記憶部２１ｄにインストールされている。
【００４８】
メディアインタフェース２１ｅは、例えばＣＤ−ＲＯＭドライブまたはＤＶＤ−ＲＯＭドライブ等に接続されており（図示せず）、リムーバブルメディア等の可搬型記録媒体２４に記録されたコンピュータプログラムまたはデータを読み込むことができる。可搬型記録媒体２４は、コンピュータ読み取り可能であって一時的でない有形の記録媒体であり、可搬型記録媒体２４には、コンピュータを監視装置２００として機能させるためのコンピュータプログラム２４ａが格納されている。監視装置２００は、可搬型記録媒体２４からコンピュータプログラム２４ａを読み出し、コンピュータプログラム２４ａを記憶部２１ｄにインストールすることができる。ＣＰＵ２１ａは、ＲＡＭ２１ｃにコンピュータプログラム２４ａを読み出して各種演算処理を行うことにより、制御部として機能する。なお、監視装置２００は、インターネット等の通信ネットワークを介してコンピュータプログラム２４ａをダウンロードしてもよい。
【００４９】
記憶部２１ｄには、例えば米マイクロソフト社が製造販売するＷｉｎｄｏｗｓ（登録商標）等のマルチタスクオペレーティングシステムがインストールされている。以下の説明においては、本発明に係るコンピュータプログラム２４ａは、オペレーティングシステム上で動作する。記憶部２１ｄに設けられた各種データベースの構成については、図４を参照して後述する。
【００５０】
入力インタフェース２１ｆは、例えばＵＳＢ、ＩＥＥＥ１３９４、またはＲＳ−２３２Ｃ等のシリアルインタフェース、ＳＣＳＩ、ＩＤＥ、またはＩＥＥＥ１２８４等のパラレルインタフェース、およびＤ／Ａ変換器、Ａ／Ｄ変換器等からなるアナログインタフェース等から構成されている。入力インタフェース２１ｆには、キーボードおよびマウス等の入力部２３を接続することができる。
【００５１】
通信インタフェース２１ｇは、例えばＥｔｈｅｒｎｅｔ（登録商標）インタフェースである。通信インタフェース２１ｇは、通信ネットワーク８０，９０を介してクライアント装置３００、センサ６０、および携帯端末４００に接続されている。監視装置２００は、通信インタフェース２１ｇにより、所定の通信プロトコルを使用して、通信ネットワーク８０，９０に接続されたクライアント装置３００、センサ６０、および携帯端末４００との間でデータの送受信が可能である。
【００５２】
出力インタフェース２１ｈは、入力インタフェース２１ｆと同様の構成であってもよい。出力インタフェース２１ｈは、液晶ディスプレイ等で構成された表示部２２に接続されており、ＣＰＵ２１ａから与えられた画像データに応じた映像信号を表示部２２に出力する。表示部２２は、入力された映像信号にしたがって画面を表示する。
【００５３】
図４に示すように、記憶部２１ｄには、病棟構成データベースＤＢ１、病棟設備データベースＤＢ２、病室配置データベースＤＢ３、病棟設備配置データベースＤＢ４、センサ配置データベースＤＢ５、および環境パラメータ関連データベースＤＢ６が設けられている。また、記憶部２１ｄには、入退院移動情報データベースＤＢ７、保有病原体検査結果データベースＤＢ８、環境検査結果データベースＤＢ９、および装着デバイス情報データベースＤＢ１０等が記憶されていてもよい。
【００５４】
病棟構成データベースＤＢ１には、各病棟に設けられた病棟フロア、病室およびベッド等の情報が格納される。具体的には、例えば、管理番号、病棟コード、病棟名、フロア名称、病室番号、病室名、およびベッド番号が病棟構成データベースＤＢ１に格納される。
【００５５】
病棟設備データベースＤＢ２には、病棟内の病室以外の設備（例えば、トイレ、エレベータ、階段、浴室、および洗面所等）の情報が格納される。具体的には、例えば、管理番号、病棟コード、病室番号、設備毎に割り当てられた設備コード、および設備名が病棟設備データベースＤＢ２に格納される。
【００５６】
病室配置データベースＤＢ３には、病棟内における各病室の配置情報が格納される。具体的には、例えば、管理番号、病棟コード、病室番号、および病室の座標が病室配置データベースＤＢ３に格納される。病室配置データベースＤＢ３に記憶される病室配置情報は、後述する施設マップ表示用の画面データを作成する際に使用される。
【００５７】
病棟設備配置データベースＤＢ４には、病棟内における各設備の配置情報が格納される。具体的には、例えば、管理番号、病棟コード、設備コード、および設備の座標が病棟設備配置データベースＤＢ４に格納される。病棟設備配置データベースＤＢ４に記憶される設備配置情報は、後述する施設マップ表示用の画面データを作成する際に使用される。
【００５８】
センサ配置データベースＤＢ５には、病棟内における各センサ６０の配置情報が格納される。具体的には、例えば、管理番号、病棟コード、病室番号、センサ識別コード、およびセンサの座標がセンサ配置データベースＤＢ５に格納される。センサ配置データベースＤＢ５記憶されるセンサ配置情報は、後述する施設マップ表示用の画面データを作成する際に使用される。
【００５９】
環境パラメータ関連データベースＤＢ６には、病棟内に配置された各センサ６０の計測値が格納される。具体的には、例えば、センサ識別コード、各環境パラメータ５０の計測値、および測定時刻が環境パラメータ関連データベースＤＢ６に格納される。さらに、環境パラメータ関連データベースには、各環境パラメータ５０の計測値に対する基準範囲、および環境パラメータ５０の計測値から求められた指標に対応する基準範囲が格納される。環境パラメータ関連データベースＤＢ６に記憶されるセンサ情報は、後述する注意通知表示処理において使用される。
【００６０】
入退院移動情報データベースＤＢ７には、患者の入退院に関する情報が格納される。入退院移動情報データベースＤＢ７には、対象とする医療施設の電子カルテシステムから送信された診療情報に含まれる入退院移動情報が格納される。具体的には、患者ＩＤ、患者氏名、入院日、退院日、移動日、患者が入院している病棟の病棟コード、病棟名、患者が入院している病室の病室番号、およびベッド番号等の情報が、入退院移動情報データベースＤＢ７に格納される。入退院移動情報データベースＤＢ７に記憶される入退院移動情報は、後述する施設マップ表示用の画面データを作成する際に使用される。
【００６１】
保有病原体検査結果データベースＤＢ８には、患者の保有病原体検査の結果が格納される。保有病原体検査結果データベースＤＢ８には、検体分析装置から送信された保有病原体検査結果が格納される。具体的には、患者ＩＤ、患者氏名、検体の採取日時、検出された病原体を示す病原体コード、および病原体の名称等の情報が、保有病原体検査結果データベースＤＢ８に格納される。検体分析装置以外による検査によって得られた感染症の検査結果（例えばインフルエンザ抗原Ａ、腸感染ウイルスおよび風邪等の検査結果）は、対象とする医療施設の電子カルテシステムから取得される。保有病原体検査結果データベースＤＢ８には、感染症の検査結果も格納される。保有病原体検査結果データベースＤＢ８に記憶される保有病原体検査結果は、後述する施設マップ表示用の画面データを作成する際に使用される。
【００６２】
環境検査結果データベースＤＢ９には、対象とする医療施設において実施した環境検査の結果が格納される。環境検査とは、病原体に汚染された病室または設備から、病原体である細菌等を検出する検査である。具体的には、管理番号、病室番号、設備コード、環境検査方法、病原体コード、および検出菌の名称が、環境検査結果データベースＤＢ９に格納される。環境検査結果データベースＤＢ９に記憶される環境検査結果は、後述する施設マップ表示用の画面データを作成する際に使用される。
【００６３】
装着デバイス情報データベースＤＢ１０には、患者が装着しているデバイスに関する情報が格納される。ここでいう「デバイス」とは、患者に装着される医療機器を意味し、例として、カテーテル、ドレーン、輸液ルート、ＥＤチューブ、イレウス管、および人工呼吸器等が挙げられる。サーバ装置２００は、対象とする医療施設の電子カルテシステムと通信を行い、電子カルテシステムに記憶されている患者の診療情報を受信する。装着デバイス情報データベースＤＢ１０には、電子カルテシステムから送信された診療情報に含まれている、患者が装着しているデバイスに関する情報が格納される。具体的には、患者を特定するための患者ＩＤ、デバイスの挿入抜去実施日、挿入抜去が実施されたデバイスに割り当てられたデバイスコード、デバイス名、および患者が入院している病棟を示す病棟コード等の情報が、装着デバイス情報データベースＤＢ１０に格納される。装着デバイス情報データベースＤＢ１０に記憶される装着デバイスの情報は、後述する施設マップ表示用の画面データを作成する際に使用される。
【００６４】
監視装置２００は、例えば、いわゆるサーバとしての役割を有してもよい。この場合、ＣＰＵ２１ａは、例えば、Ｌｉｎｕｘ（登録商標）、ＵＮＩＸ（登録商標）、マイクロソフト  ウインドウズ  サーバ（登録商標）等のサーバ  オペレーティングシステム（Ｏｐｅｒａｔｉｎｇ  Ｓｙｓｔｅｍ：ＯＳ）を使って監視装置２００を制御する。
＜クライアント装置＞
【００６５】
図５に示すように、クライアント装置３００は例えば汎用のコンピュータによって実現される。クライアント装置３００は、本体３１と、表示部３２と、入力部３３とを備えている。表示部３２と入力部３３とは一体化されて、タッチパネル式の表示部として実現されてもよい。本体３１は、ＣＰＵ３１ａ、ＲＯＭ３１ｂ、ＲＡＭ３１ｃ、記憶部３１ｄ、メディアインタフェース３１ｅ、入力インタフェース３１ｆ、通信インタフェース３１ｇ、および出力インタフェース３１ｈを備えている。ＣＰＵ３１ａ、ＲＯＭ３１ｂ、ＲＡＭ３１ｃ、ハードディスク３１ｄ、メディアインタフェース３１ｅ、入力インタフェース３１ｆ、通信インタフェース３１ｇ、および画像出力インタフェース３１ｈは、バス３１ｊによって接続されている。記憶部３１ｄは、ハードディスクまたはＳＳＤ等により実現されている。
【００６６】
記憶部３１ｄには、オペレーティングシステムおよびアプリケーションプログラム等、ＣＰＵ３１ａに実行させるための種々のコンピュータプログラムと、コンピュータプログラムの実行に用いられるデータとがインストールされている。
【００６７】
メディアインタフェース３１ｅは、例えばＣＤ−ＲＯＭドライブまたはＤＶＤ−ＲＯＭドライブ等に接続されており（図示せず）、リムーバブルメディア等の可搬型記録媒体３４に記録されたコンピュータプログラムまたはデータを読み込むことができる。可搬型記録媒体３４は、コンピュータ読み取り可能であって一時的でない有形の記録媒体であり、可搬型記録媒体３４には、コンピュータをクライアント装置３００として機能させるためのコンピュータプログラム３４ａが格納されている。クライアント装置３００は、可搬型記録媒体３４からコンピュータプログラム３４ａを読み出し、コンピュータプログラム３４ａを記憶部３１ｄにインストールすることができる。あるいは、クライアント装置３００は、インターネット等の通信ネットワークを介してコンピュータプログラム３４ａをダウンロードしてもよい。
【００６８】
記憶部３１ｄには、例えば米マイクロソフト社が製造販売するＷｉｎｄｏｗｓ（登録商標）等のマルチタスクオペレーティングシステムがインストールされている。コンピュータプログラム３４ａは、オペレーティングシステム上で動作する。
【００６９】
クライアント装置３００のその他の構成は、上述した監視装置２００の構成と同様であるので、その説明をここに援用する。
【００７０】
また、クライアント装置は、前記監視装置２００と同一であってもよい。
＜携帯端末＞
【００７１】
図６に示すように、携帯端末４００は、例えばスマートフォン、タブレット装置、ラップトップ・コンピュータ等のコンピュータによって実現される。携帯端末４００は、本体４１と、表示部４２と、入力部４３とを備えている。表示部４２と入力部４３とは一体化されて、タッチパネル式の表示部として実現されるのが好ましい。本体４１は、ＣＰＵ４１ａ、ＲＯＭ４１ｂ、ＲＡＭ４１ｃ、記憶部４１ｄ、メディアインタフェース４１ｅ、入力インタフェース４１ｆ、通信インタフェース４１ｇ、および画像出力インタフェース４１ｈを備えている。ＣＰＵ４１ａ、ＲＯＭ４１ｂ、ＲＡＭ４１ｃ、ハードディスク４１ｄ、メディアインタフェース４１ｅ、入力インタフェース４１ｆ、通信インタフェース４１ｇ、および画像出力インタフェース４１ｈは、バス４１ｊによって接続されている。記憶部４１ｄは、ハードディスクまたはＳＳＤ等により実現されている。
【００７２】
記憶部４１ｄには、オペレーティングシステムおよびアプリケーションプログラム等、ＣＰＵ４１ａに実行させるための種々のコンピュータプログラムと、コンピュータプログラムの実行に用いられるデータとがインストールされている。
【００７３】
メディアインタフェース３１ｅは、例えばＳＤドライブ等に接続されており（図示せず）、リムーバブルメディア等の可搬型記録媒体４４に記録されたコンピュータプログラムまたはデータを読み込むことができる。可搬型記録媒体４４は、コンピュータ読み取り可能であって一時的でない有形の記録媒体であり、可搬型記録媒体４４には、コンピュータを携帯端末４００として機能させるためのコンピュータプログラム４４ａが格納されている。携帯端末４００は、可搬型記録媒体４４からコンピュータプログラム４４ａを読み出し、コンピュータプログラム４４ａを記憶部４１ｄにインストールすることができる。あるいは、携帯端末４００は、インターネット等の通信ネットワークを介してコンピュータプログラム４４ａをダウンロードしてもよい。
【００７４】
記憶部４１ｄには、例えばＡｐｐｌｅ社が製造販売するｉＯＳ（登録商標）、Ｇｏｏｇｌｅ社が製造販売するＡｎｄｒｏｉｄ（登録商標）等のオペレーティングシステムがインストールされている。コンピュータプログラム４４ａは、オペレーティングシステム上で動作する。
【００７５】
携帯端末４００のその他の構成は、上述したクライアント装置３００の構成と同様であるので、その説明をここに援用する。
【００７６】
＜センサ＞
センサ６０は、図２に示すように少なくとも環境パラメータを計測するための計測部６０ａと無線装置７０と通信するための通信部６０ｂを備える。計測部６０ａは、環境因子の情報を定量的にまたは半定量的に計測できる限り制限されない。計測部６０ａにより定量的にまたは半定量的に計測された環境因子の情報を、環境因子の計測情報ともいう。具体的には、計測部６０ａは、温度情報、湿度情報、換気情報、および／または光情報等を定量的にまたは半定量的に計測し、各環境因子の計測情報を得ることができる。ここで「情報」は各パラメータの値を示す数値（温度情報であれば摂氏（あるいは華氏）、湿度情報であれば相対湿度、光情報であれば光量、換気情報であればＣＯ２濃度等の値）の他、計測部の各素子から出力される電圧等（温度情報であれば感温素子、湿度情報であれば感湿素子、光情報であれば感光素子、または換気情報であれば感ガス素子等からの電圧等）の値であってもよい。センサ６０は、温度、湿度、ＣＯ２濃度、光を別々に計測するものであってもよいが、同時に計測するものであってもよい。
【００７７】
通信部６０ｂは、例えば、ＬＰＷＡ（Ｌｏｗ  Ｐｏｗｅｒ  Ｗｉｄｅ  Ａｒｅａ）、３Ｇ、ＬＴＥ（Ｌｏｎｇ  Ｔｅｒｍ  Ｅｖｏｌｕｔｉｏｎ）、ＢＬＥ（Ｂｌｕｅｔｏｏｔｈ(登録商標)  Ｌｏｗ  Ｅｎｅｒｇｙ）等の通信モジュールで構成される。通信部６０ｂは、通信ネットワーク８０に直接接続してもよい。
【００７８】
前記センサとしては、公知のものを使用することができ、ＳＫＹＤＩＳＫ社のＳｋｙＬｏｇｇｅｒ等を例示することができる。
【００７９】
好ましくは、センサ６０は、所定の時間間隔で環境パラメータを測定し、環境パラメータの計測値を計測時刻と共に通信ネットワーク８０を介して監視装置２００に送信する。前記所定の時間間隔は、例えば１０分である。監視装置２００は、受信した計測値および計測時刻の情報を、センサ識別コードと対応付けて環境パラメータ関連データベースＤＢ６に記録する。
【００８０】
［システムの動作］
本発明の一実施形態に係るシステム１００は、ユーザが例えば入力部３３を操作し、システム１００を起動することにより、動作が開始される。また、システム１００には、複数のユーザが時間差で、あるいは同時にログインすることが可能である。ユーザが、クライアント装置３００の入力部３３を操作して、例えばユーザ名およびパスワードを入力することにより、施設内監視システム１００にログインするための要求を行う。監視装置２００は、ユーザ名およびパスワードを受信して、ログイン認証を行う。ログイン認証に成功した場合、例えば、クライアント装置３００は表示部３２に、図７に示すメニュー画面Ｄ１００を表示する。
【００８１】
＜メインメニュー画面＞
図７に示すように、メインメニュー画面Ｄ１００には、掲示板領域Ａ１０１と、文書管理領域Ａ１０２と、メール操作領域Ａ１０３と、メニュー領域Ａ１０４とが設けられている。掲示板領域Ａ１０１は、ユーザ間の連絡に用いられる。文書管理領域Ａ１０２は、環境パラメータ５０に関する文書データの閲覧、作成、編集、保存、および削除等を行うために用いられる。メール操作領域Ａ１０３は、メールの閲覧、作成、および送信等を行うために用いられる。メニュー領域Ａ１０４は、システム１００の各画面に表示を切り替えるために用いられる。
【００８２】
メニュー領域Ａ１０４には、システム１００の各種機能を呼び出すための複数のメニューが設けられている。メニュー領域Ａ１０４には、４つのタブＴ１０５，Ｔ１０６，Ｔ１０７，Ｔ１０８が設けられている。これらのタブＴ１０５，Ｔ１０６，Ｔ１０７，Ｔ１０８の１つをユーザがマウス操作等によって選択すると、選択されたタブに対応するアイコンがメニュー領域Ａ１０４に表示される。
【００８３】
環境管理タブＴ１０５に含まれるアイコンには、病院内の環境の管理に使用される機能が割り当てられている。具体的には、環境管理タブＴ１０５には、環境レポートアイコンＣ１１１と、環境モニタリングアイコンＣ１１２と、患者検索アイコンＣ１１３と、施設マップアイコンＣ１１４と、掲示板登録アイコンＣ１１５と、ユーザ設定アイコンＣ１１６と、マニュアルダウンロードアイコンＣ１１７とが、設けられている。
【００８４】
環境レポートアイコンＣ１１１には、環境レポートの表示機能および作成機能が割り当てられている。環境モニタリングアイコンＣ１１２には、各環境パラメータ５０の計測値および／または環境パラメータ５０の計測値から求められた指標の表示機能が割り当てられている。前記計測値または指標は、リアルタイムで、あるいはユーザによって指定された時間毎、曜日毎あるいは日にち毎、月における日毎、または週毎に表示される。施設マップアイコンＣ１１４には、病棟毎またはフロア毎の環境状態の表示機能が割り当てられている。掲示板登録アイコンＣ１１５には、掲示板への情報の投稿機能が割り当てられている。ユーザ設定アイコンＣ１１６には、システム１００を使用するユーザに関する情報を設定する機能が割り当てられている。マニュアルダウンロードアイコンＣ１１７には、システム１００の操作マニュアルをダウンロードする機能が割り当てられている。
【００８５】
ここでいう「アイコン」とは、特定の機能が割り当てられ、割り当てられた機能を象徴的に表すようにデザインされた画像を意味し、ウィンドウ内において表示される画像も含む。
【００８６】
環境管理タブＴ１０５の各アイコンに割り当てられた機能は、感染症の対策を実施するインフェクションコントロールドクター（ＩＣＤ）および感染管理看護師（ＩＣＮ）によって使用される。環境管理タブＴ１０５の各アイコンに割り当てられた機能は、病室等の通常の医療現場において医療行為を実施する医師および看護師等の医療従事者によっても使用される。
【００８７】
ＩＣＴ支援タブＴ１０６には、感染制御チーム（ＩＣＴ）を支援するための機能が割り当てられた図示しないアイコンが設けられている。感染制御チームは、感染管理を担当する専門家であるインフェクションコントロールドクターおよび感染管理看護師によって構成されるチームである。
【００８８】
マスタメンテナンスタブＴ１０７およびＴ１０８のそれぞれには、システム１００において使用する各種データベースのマスタ管理を行うための図示しないアイコンが設けられている。各種データベースとは、監視装置２００の記憶部２１ｄに設けられている、病棟構成データベースＤＢ１、病棟設備データベースＤＢ２、病室配置データベースＤＢ３、病棟設備配置データベースＤＢ４、センサ配置データベースＤＢ５、環境パラメータ関連データベースＤＢ６である。
【００８９】
メニュー画面Ｄ１００において施設マップアイコンＣ１１４が選択されると、以下に説明する施設内のマップを表示するマップ表示処理および施設内のマップに注意通知を表示する注意通知表示処理を、監視装置２００およびクライアント装置３００が協働して実行する。施設マップの表示内容および注意通知の表示内容は、マップ表示機能および注意通知表示機能を、例えばクライアント装置３００が自動で呼び出すことにより、所定の時間間隔で自動的に更新することができる。または、施設マップの表示内容および注意通知の表示内容は、ユーザがアイコンを選択してマップ表示機能および注意通知表示機能を呼び出すことにより、手動で更新してもよい。
【００９０】
＜マップ表示処理１＞
マップ表示処理１では、クライアント装置３００において、メインメニューに表示されている施設マップアイコンＣ１１４が選択されると、例えば、病棟マップＭ２０１を含む病棟マップ画面Ｄ２００（図８）、フロアマップＭ３０１を含むフロアマップ画面Ｄ３００（図９）、および病室内マップＭ４０１を含む病室内マップ画面Ｄ４００（図１０）等がクライアント装置３００の表示部３２等に表示される。これら３つのマップは、施設マップアイコンＣ１１４が選択された際に、それぞれ同じ画面に並列に表示されてもよい。また、施設マップアイコンＣ１１４が選択された際に、上層から下層に向かって、病棟マップＭ２０１、フロアマップＭ３０１、病室内マップＭ４０１の順に３段階の階層で表示されてもよい。メインメニュー画面において施設マップアイコンＣ１１４が選択されると、監視装置２００は、例えば以下に示す手順に沿って、施設マップ（例えば、病棟マップＭ２０１、フロアマップＭ３０１、および病室内マップＭ４０１）をクライアント装置３００の表示部３２に表示させる。
【００９１】
前記施設マップには、前述する病棟構成データベースＤＢ１、病棟設備データベースＤＢ２、病室配置データベースＤＢ３、病棟設備配置データベースＤＢ４等に記憶される各区画に関する情報、各区画に滞在している人物に関する人物情報（例えば、年齢、性別、入院日等の患者情報）、前記人物が使用している機器（例えば、カテーテル、輸血ルート、人工呼吸器等）、前記人物が罹患している疾患情報等の区画情報が表示される。
【００９２】
図１１に示すフローチャートを用いてシステム１００においける施設マップの表示処理の流れを説明する。ステップＳ１０１において、ユーザの入力部３３からの入力により施設マップアイコンＣ１１４が選択されることで、クライアント装置３００のＣＰＵ３１ａが施設マップ表示指示を受け付ける。
【００９３】
ステップＳ１０２において、クライアント装置３００のＣＰＵ３１ａは、施設マップの表示に必要な施設マップ表示データを要求する要求指示を、クライアント装置３００の通信インタフェース３１ｇを介して監視装置２００へ送信する。クライアント装置３００から送信された要求指示は、監視装置２００によって通信インタフェース２１ｇを介して受信される。
【００９４】
施設マップアイコンＣ１１４に代えて、メインメニューには、病棟マップＭ２０１、フロアマップＭ３０１、および病室内マップＭ４０１のいずれかの施設マップを選択するためのアイコンが表示されてもよい。表示する施設マップが病棟マップＭ２０１の場合、送信指示には、表示が要求される病棟を特定するための情報（例えば、「中央病棟」等の名称）が含まれてもよい。表示する施設マップがフロアマップＭ３０１の場合、要求指示には、表示対象とするフロアを特定する情報（例えば病棟コード）が含まれてもよい。表示する施設マップが区画マップＭ４０１の場合、要求指示には、表示対象とする区画を特定する情報（例えば病室番号）が含まれてもよい。
【００９５】
ステップＳ１０３において、監視装置２００のＣＰＵ２１ａは、要求指示を受信するまで待機する。
【００９６】
監視装置２００が要求指示を受信すると、ステップＳ１０４において、ＣＰＵ２１ａは、病棟構成データベースＤＢ１、病棟設備データベースＤＢ２、病室配置データベースＤＢ３、病棟設備配置データベースＤＢ４、およびセンサ配置データベースＤＢ５から、施設マップの表示に必要なデータを取得する。
【００９７】
ステップＳ１０５において、ＣＰＵ２１ａは、取得した情報に基づいて要求された施設マップについて施設マップ表示データを作成する。作成された施設マップ表示データは、ＲＡＭ２１ｃに一時的に記憶されてもよく、記憶部２１ｄに記憶されてもよい。
【００９８】
ステップＳ１０６において、ＣＰＵ２１ａは、作成した施設マップ表示データを、通信インタフェース２１ｇを介して要求元のクライアント装置３００へ送信する。監視装置２００から送信された施設マップ表示データは、クライアント装置３００によって通信インタフェース３１ｇを介して受信される。
【００９９】
ステップＳ１０７において、クライアント装置３００のＣＰＵ３１ａは、施設マップ表示データを受信するまで待機する。
【０１００】
クライアント装置３００が施設マップ表示データを受信すると、ステップＳ１０８において、ＣＰＵ３１ａは、受信した施設マップ表示データに基づいて、図８から図１０に示す施設マップ画面Ｄ２００、Ｄ３００、またはＤ４００を表示部３２に表示させる。
【０１０１】
図８に例示する施設マップ画面Ｄ２００は、病棟マップＭ２０１を含む。病棟マップＭ２０１は、病棟全体の構造を簡略化した図形で表示する。図９に例示する施設マップ画面Ｄ３００は、フロアマップＭ３０１を含む。フロアマップＭ３０１は、各病棟のフロア毎に作成されるマップであり、フロア全体の構造を簡略化した図形で表示する。図１０に例示する施設マップ画面Ｄ４００は、病室内マップＭ４０１を含む。病室内マップＭ４０１は、区画毎に作成されるマップであり、区画内全体の構造を簡略化した図形で表示する。
【０１０２】
・病棟マップ
図８を参照すると、病棟マップ画面Ｄ２００には、病棟マップＭ２０１が表示される病棟マップ領域Ａ２０２が設けられている。本実施形態では、医療施設に病棟が複数設けられているため、病棟マップ領域Ａ２０２に病棟切替タブＴ２０３，Ｔ２０４が表示される。病棟切替タブＴ２０３，Ｔ２０４は、ユーザによるマウスのクリック操作等によって選択可能であり、選択されたタブに対応する病棟の病棟マップＭ２０１が病棟マップ領域Ａ２０２に表示される。
【０１０３】
病棟マップＭ２０１は、病棟全体の構造を簡略化した図形として表示する。本実施形態では、病棟が複数階から構成されているため、各階のフロアが図示された病棟マップＭ２０１が表示される。各階のフロア図Ｇ２０６の左方には、階数表示Ｇ２１５が付されている。フロア図Ｇ２０６には、フロア情報Ｇ２０７がフロア毎に表示される。図示しないが、フロア情報Ｇ２０７には、各フロアの名称とそのフロアに入院している患者数とが含まれてもよい。これにより、どのフロアに何人の入院患者がいるかが容易に把握できる。同一の階において複数のフロアが設けられている場合には、それぞれのフロアについてフロア情報Ｇ２０７が表示される。
【０１０４】
例えば、図８に示す例では、７階が、「７階西」、「７階南」、「７階東」および「７階北」の４つのフロアに分かれている。例えば、「７階西」フロアのフロア情報Ｆ２０７は、フロアの名称Ｇ２０２「７階西病棟」を含む。「７階南」フロアのフロア情報Ｆ２０７は、フロアの名称Ｇ２０２「７階南病棟」を含む。「７階東」フロアのフロア情報Ｆ２０７は、フロアの名称Ｇ２０２「７階東病棟」を含む。「７階北」フロアのフロア情報Ｆ２０７は、フロアの名称Ｇ２０２「７階北病棟」を含む。
【０１０５】
また、各階のフロア図Ｇ２０６には、そのフロアにおける注意通知Ｃ２２１，Ｃ２２２とが表示される。注意通知Ｃ２２１，Ｃ２２２は、後述する注意通知表示処理の結果に基づいて、例えば円形枠に囲まれた感嘆符を含むアイコンで示される。感嘆符の数は注意喚起レベルに対応しており、感嘆符が多いほど注意喚起レベルが高いことを意味する。注意喚起レベルの段階数は特に限定されないが、本実施形態では２段階である。例えば、フロア情報Ｇ２０７に対応する各フロア内に、注意通知表示処理により注意通知をすべきと判定された区画が少なくとも１つでも存在する場合、対応するフロア情報Ｇ２０７の脇に、判定結果に対応する種別の注意通知Ｃ２２１，Ｃ２２２が表示される。
【０１０６】
日時指定領域Ａ２１４には、日時を指定するための入力ボックスが含まれる。入力ボックスにおいて日時を指定することで、指定された日時における病棟内の感染状況を示す病棟マップに表示が更新される。
【０１０７】
注意通知凡例領域Ａ２１６は、注意通知Ｃ２２１，Ｃ２２２がどのような疾患に関する注意通知であるかについて、注意のレベルについての説明が表示される領域である。
【０１０８】
・フロアマップ
各フロア情報Ｇ２０７は、ユーザのマウスのクリック操作によって選択可能である。１つのフロア情報Ｇ２０７が選択されると、図１１に示す施設マップ表示処理が呼び出され、選択されたフロアのフロアマップＭ３０１が表示される。
【０１０９】
図９に示す例では、フロアマップ画面Ｄ３００にはフロアマップＭ３０１が表示される。フロアマップＭ３０１の上方には、日時を指定するための日時指定領域Ａ２１４、および注意通知凡例領域Ａ２１６が設けられている。フロアマップ画面Ｄ３００に設けられている日時指定領域Ａ２１４、および注意通知凡例領域Ａ２１６は、図８に示す病棟マップ画面Ｄ２００に設けられている日時指定領域Ａ２１４、および注意通知凡例領域Ａ２１６と同じである。さらに、凡例領域Ａ２１４の下には、患者がデバイスを装着しているか否かを示す凡例領域Ａ２１５が設けられていてもよい。
【０１１０】
図９に示すフロアマップＭ３０１は、フロア全体の構造を簡略化した図形で表示する。フロアマップＭ３０１には、区画情報Ｇ３０７が、患者を収容する区画毎に表示される。区画情報Ｇ３０７には、各区画の区画番号と、その区画に入院している患者の患者ＩＤとが含まれる。患者が人工呼吸器、カテーテル、輸血ルート等のデバイスを装着している場合には、区画情報Ｇ３０７において患者ＩＤが例えば白黒反転表示されて表示される。例えば部屋番号「７１０１」に入院している４人の患者は全員が、人工呼吸器、カテーテル、および輸血ルート等の何らかの医療機器（デバイス）を装着している。
【０１１１】
フロアマップＭ３０１には、区画情報Ｇ３０７に対応する区画毎に、注意通知Ｃ２２１，Ｃ２２２が表示される。注意通知Ｃ２２１，Ｃ２２２は、後述する注意通知表示処理の結果に基づいて、例えば円形枠に囲まれた感嘆符で示される。例えば、区画情報Ｇ３０７に対応する各区画内に、注意通知表示処理により注意通知をすべきセンサ６０が少なくとも１つでも存在する場合、対応する区画情報Ｇ３０７の近傍に、判定結果に対応する種別の注意通知Ｃ２２１，Ｃ２２２が表示される。
【０１１２】
フロアマップＭ３０１には、病室以外の設備として、例えばナースステーションＧ３０９ａ、トイレＧ３０９ｂ、浴室Ｇ３０９ｃ、洗面所Ｇ３０９ｄ、汚物処理室Ｇ３０９ｅ等の設備情報が表示される。ここで、区画には、病室だけではなく、病棟内の病室以外の設備が含まれる。
【０１１３】
・病室内マップ
ユーザは、図９に示すフロアマップＭ３０１の区画情報Ｇ３０７のうち、表示を希望する区画の区画情報Ｇ３０７を選択することにより、上述の図１１に示すマップ表示処理を呼び出し、選択した病室の病室内マップＭ４０１を表示することができる。
【０１１４】
図１０に示す例では、病室内マップ画面Ｄ４００には病室内マップＭ４０１が表示される。
【０１１５】
病室内マップＭ４０１は、病室内全体の構造を簡略化した図形で表示する。病室内マップＭ４０１には、病室内に滞在している人物の情報、例えば、患者の識別番号（ＩＤ）、患者氏名、患者が保有する感染症、患者が呈する症状（症候群）等の入院患者情報Ｇ４０７が患者のベッド毎に表示される。患者がデバイスを装着している場合には、入院患者情報Ｇ４０７の項目「デバイス」欄に、患者が装着しているデバイスの種類が表示される。センサ６０は患者のベッド毎に配置されており、病室内マップＭ４０１には、入院患者情報Ｇ４０７に対応するベッド毎に注意通知Ｃ２２１が表示される。
【０１１６】
ここで、システム１００の動作において、ステップＳ１０３からＳ１０６は必ずしも必須ではなく、前記ステップＳ１０３からＳ１０６によって生成された施設マップ表示データを、あらかじめクライアント装置３００の記憶部３１ｄまたは監視装置２００の記憶部２１ｄに記憶しておいてもよい。そして、クライアント装置３００のＣＰＵ３１ａは、ステップＳ１０２における要求指示により、前記記憶部３１ｄまたは記憶部２１ｄから施設マップ表示データを呼び出してもよい。
【０１１７】
＜マップ表示処理２＞
本態様は、前記施設マップに加えて、他の患者に感染する畏れのある病原体を保有する患者（病原体保有者という）、前記病原体の種類、環境における病原体の有無等に係る情報が表示される。このような表示を行うことにより、医療従事者は、室内環境の状態だけではなく、患者が既に保有している病原体や、患者が既に装着しているデバイス等を考慮した、院内感染の予防に向けた総合的な管理および判断を行うことが可能となる。特に、施設マップの表示から、重症患者が入院している部屋を容易に特定することが可能になることから、対応の優先度を考慮した、管理および判断を行うことが可能となる。
【０１１８】
マップ表示処理２では、クライアント装置３００において、メインメニューに表示されている施設マップアイコンＣ１１４が選択されると、例えば、病棟マップＭ２０１ａを含む病棟マップ画面Ｄ２００ａ（図１２）、フロアマップＭ３０１ａを含むフロアマップ画面Ｄ３００ａ（図１３）、および病室内マップＭ４０１ａを含む病室内マップ画面Ｄ４００ａ（図１４）等がクライアント装置３００の表示部３２等に表示される。
【０１１９】
施設マップの表示処理の流れは、マップ表示処理１と基本的には同じであるが、病原体保有者の情報、病原体等の種類、および環境における病原体の有無に関する情報は、前記ステップＳ１０４において、ＣＰＵ２１ａが、入退院移動情報データベースＤＢ７、感染症検査結果データベースＤＢ８、環境検査結果データベースＤＢ９、および装着デバイス情報データベースＤＢ１０から取得する。
【０１２０】
・病棟マップ
マップ表示処理２における、病棟マップの構成は、マップの表示処理１で述べた構成と基本的には同様であるが、病原体保有者の情報、病原体等の種類、および環境における病原体の有無に関する情報が加えられている。図１２を参照すると、病棟マップ画面Ｄ２００ａには、病棟マップＭ２０１ａが表示される病棟マップ領域Ａ２０２ａが設けられている。病棟マップ領域Ａ２０２ａの上方には、日時を指定するための日時指定領域Ａ２１４ａ、および注意通知凡例領域Ａ２１６ａが設けられている。病棟マップ領域Ａ２０２ａに設けられている日時指定領域Ａ２１４ａ、および注意通知凡例領域Ａ２１６ａは、図８に示す病棟マップ画面Ｄ２００に設けられている日時指定領域Ａ２１４、および注意通知凡例領域Ａ２１６と同じである。また、病棟マップ領域Ａ２０２ａの左方には、各病原体について院内全体における病原体保有者数の一覧が表示される病原体保有者数一覧表示領域Ａ２１２ａが設けられている。病棟マップ領域Ａ２０２ａの上方には、病棟マップＭ２０１ａで使用される記号の意味を説明する凡例が示される凡例領域Ａ２１３ａが設けられている。凡例領域Ａ２１３ａには、病原体保有者情報Ｇ２０８ａを示す図形の説明として、各図形に対応する病原体に応じて、例えば細菌感染症、ウイルス感染症等のグループに分けて表示される。また、凡例領域Ａ２１３ａの左方には、凡例領域Ａ２１３ａで使用される図形のパターンを補足説明（例えば、接触感染、飛沫感染、空気感染等の感染経路）する凡例領域Ａ２１３ｂが設けられている。例えば、凡例領域Ａ２１３ａにおいて、ＭＲＳＡはメチシリン耐性黄色ブドウ球菌が検出されたことを示す。ＶＲＥはバンコマイシン耐性腸球菌が検出されたことを示す。ＭＤＲＰは多剤耐性緑膿菌が検出されたことを示す。ＭＤＲＡ多剤耐性アシネトバクターが検出されたことを示す。ＥＳＢＬは基質特異性拡張型βラクタマーゼ）産生菌が検出されたことを示す。メタロβはメタロβラクタマーゼ（ＭＢＬ）産生菌が検出されたことを示す。結核（疑）は、結核菌、または非定型抗酸菌が検出されたこと、およびそれらの細菌感染が疑われることを示す。ＣＤはクロストリジウム・ディフシレ菌が検出されたことを示す。インフルはインフルエンザウイルス検出されたことを示す。感染性腸炎はノロウイルス等のウイルス性腸炎が確認されたことを示す。流行性ウイルス感染症は、アデノウイルスやＲＳウイルス等のウイルス感染が確認されたことを示す。発熱、低体温、嘔吐、下痢は、当該症状を呈する患者が確認されたことを示す。
【０１２１】
本実施形態では、医療施設に病棟が複数設けられているため、病棟マップ領域Ａ２０２ａに病棟切替タブＴ２０３ａ，Ｔ２０４ａが表示される。病棟切替タブＴ２０３ａ，Ｔ２０４ａは、ユーザによるマウスのクリック操作等によって選択可能であり、選択されたタブに対応する病棟の病棟マップＭ２０１ａが病棟マップ領域Ａ２０２ａに表示される。図１２に示す例では、図８と同様に各フロアが表示される。
【０１２２】
病棟マップＭ２０１ａは、病棟全体の構造を簡略化した図形として表示してもよい。本実施形態では、病棟が複数階から構成されているため、各階のフロアが図示された病棟マップＭ２０１ａが表示される。各階のフロア図Ｇ２０６ａの左方には、階数表示Ｇ２１５ａが付されている。フロア図Ｇ２０６ａには、フロア情報Ｇ２０７ａがフロア毎に表示される。フロア情報Ｇ２０７ａには、各フロアの名称Ｇ２０２ａとそのフロアに入院している患者数Ｇ２０３ａとが含まれる。これにより、どのフロアに何人の入院患者がいるかが容易に把握できる。同一の階において複数のフロアが設けられている場合には、それぞれのフロアについてフロア情報Ｇ２０７ａが表示される。これにより、どのフロアに何人の入院患者がいるかが容易に把握できる。
【０１２３】
また、各階のフロア図Ｇ２０６ａには、マップ表示処理１と同様にそのフロアにおける注意通知Ｃ２２１，Ｃ２２２とが表示される。
【０１２４】
・フロアマップ
各フロア情報Ｇ２０７ａは、ユーザのマウスのクリック操作によって選択可能である。１つのフロア情報Ｇ２０７ａが選択されると、前記施設マップ表示処理が呼び出され、選択されたフロアのフロアマップＭ３０１ａが表示される。
【０１２５】
マップ表示処理２における、フロアマップの構成は、マップの表示処理１で述べた構成と基本的には同様であるが、病原体保有者の情報、病原体等の種類、および環境における病原体の有無に関する情報が加えられている。図１３に示す例では、フロアマップ画面Ｄ３００ａにはフロアマップＭ３０１ａが表示される。フロアマップＭ３０１ａの上方には、記号の意味を説明する凡例が示される凡例領域Ａ２１３が設けられている。凡例領域Ａ２１３ａの左方には、凡例領域Ａ２１３ａで使用される図形のパターンを補足説明する凡例領域Ａ２１３ｂが設けられている。凡例領域Ａ２１３ａ，２１３ｂは図１２と同様である。日時指定領域Ａ２１４ａ、および注意通知凡例領域Ａ２１６ａは、図１２と同様である。さらに、凡例領域Ａ２１３ｂの下には、患者がデバイスを装着しているか否かを示す凡例領域Ａ２１５ａが設けられている。
【０１２６】
図１２に示すフロアマップＭ３０１は、フロア全体の構造を簡略化した図形で表示する。フロアマップＭ３０１には、区画情報Ｇ３０７が、患者を収容する区画毎に表示される。区画情報Ｇ３０７には、各区画の区画番号と、その区画に入院している患者の患者ＩＤとが含まれる。患者が人工呼吸器、カテーテル、輸血ルート等のデバイスを装着している場合には、区画情報Ｇ３０７において患者ＩＤが例えば白黒反転表示されて表示される。さらに、患者が病原体保有者である場合には、患者氏名の横に、凡例領域Ａ２１３ａに示される、患者が保有している病原体に対応する記号Ｇ３０８ａが表示される。
【０１２７】
フロアマップＭ３０１ａには、区画情報Ｇ３０７ａに対応する区画毎に、注意通知Ｃ２２１，Ｃ２２２が表示される。注意通知Ｃ２２１，Ｃ２２２の説明は、マップ表示処理１と同様である。
【０１２８】
・病室内マップ
ユーザは、図１２に示すフロアマップＭ３０１ａの区画情報Ｇ３０７ａのうち、表示を希望する区画の区画情報Ｇ３０７ａを選択することにより、上述のマップ表示処理を呼び出し、選択した病室の病室内マップＭ４０１ａを表示することができる。
【０１２９】
マップ表示処理２における、病室内マップの構成は、マップの表示処理１で述べた構成と基本的には同様であるが、病原体保有者の情報、病原体等の種類、および環境における病原体の有無に関する情報が加えられている。図１３に示す例では、病室内マップ画面Ｄ４００ａには病室内マップＭ４０１ａが表示される。また、病室内マップＭ３０１ａの上方には、記号の意味を説明する凡例が示される凡例領域Ａ２１３が設けられている。凡例領域Ａ２１３ａの左方には、凡例領域Ａ２１３ａで使用される図形のパターンを補足説明する凡例領域Ａ２１３ｂが設けられている。凡例領域Ａ２１３ａ，２１３ｂは図１２と同様である。日時指定領域Ａ２１４ａ、および注意通知凡例領域Ａ２１６ａは、図１２と同様である。さらに、凡例領域Ａ２１３ｂの下には、患者がデバイスを装着しているか否かを示す凡例領域Ａ２１５ａが設けられている。
【０１３０】
病室内マップＭ４０１ａは、病室内全体の構造を簡略化した図形で表示される。病室内マップＭ４０１ａには、患者の識別番号（ＩＤ）、患者氏名、患者が保有する感染症、患者が呈する症状（症候群）等の入院患者情報Ｇ４０７ａが患者のベッド毎に表示される。また、患者がデバイスを装着している場合には、入院患者情報Ｇ４０７ａの項目「デバイス」欄に、患者が装着しているデバイスの種類が表示される。センサ６０は患者のベッド毎に配置されており、病室内マップＭ４０１には、入院患者情報Ｇ４０７に対応するベッド毎に注意通知Ｃ２２１が表示される。注意通知Ｃ２２１，Ｃ２２２の説明は、マップ表示処理１と同様である。
【０１３１】
＜注意通知表示処理＞
図７に示すメニュー画面Ｄ１００において施設マップアイコンＣ１１４が選択されると、監視装置２００は、例えば以下に示す手順に沿って、注意通知表示データ４０をクライアント装置３００に送信し、これを受信したクライアント装置３００は表示部３２に注意通知を表示させる。表示部３２が表示する施設マップには、注意通知表示処理によって作成された注意通知表示データ４０に基づいて注意表示が表示される。
【０１３２】
図１５に示すフローチャートを用いて処理の流れを説明する。ステップＳ２０１において、ユーザの入力部３３からの入力により施設マップアイコンＣ１１４が選択されることで、クライアント装置３００のＣＰＵ３１ａが注意通知表示指示を受け付ける。
【０１３３】
ステップＳ２０２において、クライアント装置３００のＣＰＵ３１ａは、注意通知の表示に必要な注意通知表示データ４０を要求する要求指示を、クライアント装置３００の通信インタフェース３１ｇを介して監視装置２００へ送信する。クライアント装置３００から送信された要求指示は、監視装置２００によって通信インタフェース２１ｇを介して受信される。
【０１３４】
ステップＳ２０３において、監視装置２００のＣＰＵ２１ａは、要求指示を受信するまで待機する。
【０１３５】
監視装置２００が要求指示を受信すると、ステップＳ２０４において、ＣＰＵ２１ａは、センサ配置データベースＤＢ５から施設内に配置されている各センサ６０の位置情報と、環境パラメータ関連データベースＤＢ６から、各センサ６０が計測した各環境パラメータ５０の計測値を取得する。後述する環境状態の判定において、経時的な環境パラメータ５０の計測値を環境状態の判定に用いる場合は、計測時刻の情報も環境パラメータ関連データベースＤＢ６から取得する。ここで、各環境パラメータ５０の計測値は、ＲＡＭ２１ｃに一時的に記憶されたものを使用してもよい。
【０１３６】
ステップＳ２０５において、ＣＰＵ２１ａは、取得した各環境パラメータ５０の計測値に基づいて、各センサ６０が設けられた各区画について各環境パラメータ５０の計測値が基準範囲と比較する。
【０１３７】
ステップＳ２０６において、ＣＰＵ２１ａは、各環境パラメータ５０の計測値が基準範囲外であるか否かを判定する。
【０１３８】
図示しないが、ＣＰＵ２１ａは、ステップＳ２０６で環境パラメータ５０の計測値が前記基準範囲外（ＹＥＳ）区画について、その環境状態が良好でないと判定するステップＳ２０７を含んでいてもよい。
【０１３９】
ステップＳ２０８では、ＣＰＵ２１ａは、ステップＳ２０７において環境状態が良好でないと判定されたセンサ６０が設けられた区画について、さらに、環境パラメータ５０の計測値を考慮して、注意通知表示データ４０を生成する。ここで、ステップＳ２０８は、ステップＳ２０７において環境状態が良好でない（ＹＥＳ）と判定された区画について、環境パラメータ５０の計測値を考慮して、注意通知表示データ４０を作成（ステップＳ２０８）してもよい。
【０１４０】
ステップＳ２０９において、ＣＰＵ２１ａは、作成した注意通知表示データ４０を、通信インタフェース２１ｇを介して要求元のクライアント装置３００へ送信する。監視装置２００から送信された注意通知表示データ４０は、クライアント装置３００によって通信インタフェース３１ｇを介して受信される。また、ステップＳ２０９において、ＣＰＵ２１ａは、作成した注意通知表示データ４０を、必要に応じて通信インタフェース２１ｇを介して携帯端末４００へ送信する。監視装置２００から送信された注意通知表示データ４０は、携帯端末４００によって通信インタフェース４１ｇを介して受信される。
【０１４１】
ステップＳ２１０において、クライアント装置３００のＣＰＵ３１ａは、注意通知表示データ４０を受信するまで待機する。
【０１４２】
クライアント装置３００が注意通知表示データ４０を受信すると、ステップＳ２１１において、ＣＰＵ３１ａは、受信した注意通知表示データ４０に基づいて、環境状態が良好でなかった区画について注意通知を施設マップに表示させる。
【０１４３】
ステップＳ２１３において、携帯端末４００のＣＰＵ４１ａは、注意通知表示データ４０を受信するまで待機する。
【０１４４】
携帯端末４００が注意通知表示データ４０を受信すると、ステップＳ２１４において、ＣＰＵ４１ａは、受信した注意通知表示データ４０に基づいて、環境状態が良好でないことを通知するメッセージを携帯端末の表示部４２に表示する。あるいは、ＣＰＵ４１ａは、環境状態が良好でなかった区画について注意通知を施設マップと共に表示させる。
【０１４５】
前記ステップＳ２０６において全ての環境パラメータ５０の計測値が基準範囲内であった場合（ＮＯ）には、そのまま処理を終了する。また、図示しないが、前記ステップＳ２０６において環境パラメータ５０の計測値が基準範囲内であった場合（ＮＯ）に、環境状態は良好であると判定するステップＳ２１２（図示せず）を含んでいてもよい。
【０１４６】
・環境状態の判定例
ステップＳ２０５において、監視装置２００のＣＰＵ２１ａが環境状態を判定する方法には種々の態様がある。５種類の態様を以下に例示する。環境状態の判定は、環境状態の悪化により発生する可能性のある疾病の種類に応じて設定された基準範囲に基づいて行われる。前記基準範囲は、前記疾病の種類に応じて設定できるほか、施設毎または区画毎で１つの疾病に対して異なる前記基準値を設定してもよい。また、ユーザが疾病毎に、あるいは施設または区画に応じて基準範囲を変更してもよい。図２０に、ユーザが基準範囲を任意に設定する際の入力画面の表示例を示す。基準範囲を任意で設定するための入力画面Ｙ１００には、例えば、熱中症を監視する基準範囲を入力するための入力領域Ｙ２００と、インフルエンザまたは真菌の感染を監視する基準範囲を入力するための基準範囲入力領域Ｙ２０１とが設けられている。基準範囲入力領域Ｙ２００，Ｙ２０１には、基準範囲の上限値を入力する領域Ｙ１０１と、基準範囲の下限値を入力しり領域Ｙ１０２が設けられている。領域Ｙ１０１，Ｙ１０２には、ユーザが入力部２３を操作することによって任意の数値が入力される。
【０１４７】
本発明の実施形態に係るシステム１００は、センサ設置箇所において計測する環境状態として、疾病の発生に関連する環境状態を監視する。例えば、インフルエンザウイルス等のウイルスに対する罹患しやすさ、真菌および細菌の繁殖のし易さ、および熱中症の発症しやすさ等の種々の危険度を監視する。例示するこれら３つの監視対象は、例えば、環境パラメータ５０の計測値に基づいて監視することが可能である。
【０１４８】
１）温度情報に基づく判定
第１の態様では、ＣＰＵ２１ａは、例えば、熱中症の発症しやすさを監視するために、温度情報に基づいて、環境状態を判定する。一般に、熱中症は区画内の温度情報が高いほどかかり易くなる。このため、本態様では、ＣＰＵ２１ａは、温度情報が基準範囲を外れた区画について環境状態が良好でないと判定する。
【０１４９】
具体的には、図１５のステップＳ２０４において取得した温度の計測値が、その環境パラメータ５０の基準範囲外であれば、ＣＰＵ２１ａは、環境状態が良好でないと判定する。例えば、環境状態が良好であると判定する基準範囲を２８℃未満と設定し、図１６Ａに示す基準範囲データと判定結果のテーブルを環境パラメータ関連データベースＤＢ６に記憶しておく。ＣＰＵ２１ａは、各センサ６０から出力された前記温度情報の計測値を環境パラメータ関連データベースＤＢ６に記憶された基準範囲と比較し、前記温度情報の計測値が基準範囲内である場合、環境状態が良好であると判定することができる。また、ＣＰＵ２１ａは、前記温度情報の計測値が基準範囲外である場合、環境状態が良好でないと判定することができる。環境状態が良好でないと判定された場合には、ＣＰＵ２１ａは、温度情報の計測値を熱中症が発症する環境状態の危険度に応じて格付けすることができる。例えば、図１６Ａに示すように、環境状態の危険度が「要注意」であると判定する温度の範囲を２８℃以上３５℃未満と設定し、さらに、環境状態の危険度が「警告」であると判定する温度の範囲を３５℃以上と設定し、環境パラメータ関連データベースＤＢ６に記憶しておくことにより、ＣＰＵ２１ａは、前記温度情報の計測値を、環境状態の危険度に応じて、環境状態が「要注意」、または「警告」であると判定することができる。
【０１５０】
２）湿度情報に基づく判定
第２の態様では、ＣＰＵ２１ａは、例えばインフルエンザウイルス等のウイルスに対する罹患しやすさ、および、真菌の繁殖のし易さを監視するために、湿度情報に基づいて、注意通知の表示条件を判定する。湿度が約７０％以上になると真菌が繁殖し易くなり、湿度が約４０％未満になるとインフルエンザにかかり易くなることが知られている。そのため本態様では、ＣＰＵ２１ａは、湿度情報が基準範囲を外れた区画について環境状態が良好でないと判定する。
【０１５１】
具体的には、ステップＳ２０４において取得した湿度情報の計測値が基準範囲外であれば、ＣＰＵ２１ａは、計測値が得られた疾病の発生に関連する条件を満たすと判断する。例えば、環境状態が良好であると判定する基準範囲を４０％以上かつ７０％未満と設定し、前記基準範囲と判定結果を、図１６Ｂに示す基準範囲データと判定結果のテーブルを環境パラメータ関連データベースＤＢ６に記憶しておく。ＣＰＵ２１ａは、各センサ６０から出力された前記湿度情報の計測値を環境パラメータ関連データベースＤＢ６に記憶された基準範囲と比較し、前記湿度情報の計測値が基準範囲内である場合、環境状態が良好であると判定することができる。また、ＣＰＵ２１ａは、前記湿度情報の計測値が基準範囲外である場合、環境状態が良好でないと判定することができる。環境状態が良好でないと判定された場合には、ＣＰＵ２１ａは、湿度情報の計測値をインフルエンザウイルスに対する罹患しやすさの危険度に応じて格付けすることができる。例えば、図１６Ｂに示すように環境状態の危険度が「要注意」であると判定する湿度の範囲を２０％以上４０％未満または、７０％以上と設定し、さらに、例えば、環境状態の危険度が「警告」であると判定する湿度の範囲を２０％未満と設定し、環境パラメータ関連データベースＤＢ６に記憶しておくことにより、ＣＰＵ２１ａは、環境状態の危険度に応じて、環境状態が「要注意」、または「警告」であると判定することができる。
【０１５２】
３）温度情報および湿度情報の組み合わせ
第３の態様では、ＣＰＵ２１ａは、例えば、真菌および細菌の繁殖のし易さを監視するために、温度情報および湿度情報に基づいて、注意通知の表示条件を判定する。真菌の菌は、例えば温度２０℃から３０℃の範囲内かつ湿度７０％以上の状態で繁殖することが知られている。そのため本態様では、ＣＰＵ２１ａは、温度情報および湿度情報の両方が基準範囲を外れた区画について環境状態が良好でないと判定する。
【０１５３】
具体的には、ステップＳ２０４において取得した温度情報および湿度情報の計測値について、各環境パラメータ５０の計測値が基準値範囲外であれば、ＣＰＵ２１ａは、環境状態が良好でないと判定する。例えば、環境状態が良好であると判定する基準範囲を、温度が１０℃未満かつ湿度が７０％未満であると設定し、例えば図１６Ｃに示す基準範囲データと判定結果のテーブルを環境パラメータ関連データベースＤＢ６に記憶しておく。ＣＰＵ２１ａは、各センサ６０から出力された温度情報および湿度情報の計測値を環境パラメータ関連データベースＤＢ６に記憶された基準範囲を比較し、前記温度および湿度の計測値が、基準範囲内である場合、環境状態が良好であると判定することができる。また、ＣＰＵ２１ａは、前記温度情報および湿度情報の計測値が基準範囲外である場合、環境状態が良好でないと判定することができる。疾病の発生に関連する条件を満たすと判定された場合には、ＣＰＵ２１ａは、温度情報および湿度情報の計測値に基づいて環境状態を真菌または細菌が繁殖する危険度に応じて格付けすることができる。例えば、図１６Ｃに示すように環境状態の危険度が「要注意」であると判定される範囲を、温度が１０℃以上かつ３５℃以下の範囲であるか、湿度が７０％以上かつ１００％以下の範囲（より好ましくは、温度が２０℃以上かつ３０℃以下の範囲であるか、湿度が８０％以上かつ１００％以下の範囲）と設定する。さらに、例えば、環境状態の危険度が「警告」であると判定する湿度の範囲を、温度が１０℃以上かつ３５℃以下の範囲であり、なおかつ湿度が７０％以上かつ１００％以下の範囲（より好ましくは、温度が２０℃以上かつ３０℃以下の範囲であり、なおかつ湿度が８０％以上かつ１００％以下の範囲）と設定する。このように、環境パラメータ関連データベースＤＢ６に記憶しておくことにより、ＣＰＵ２１ａは、環境状態の危険度に応じて、環境状態が「要注意」、または「警告」であると判定することができる。
【０１５４】
例えば、真菌には乾性の真菌と湿性の真菌とが存在し、温度が約１０℃〜約４０℃の範囲内である、湿度が約９０％を越えると、これら真菌の種類を問わず乾性および湿性の両方の真菌が繁殖する。よって、真菌に関しては、上記した「警告」と表示する範囲を、温度が１０℃以上かつ４０℃以下の範囲であり、なおかつ湿度が９０％以上かつ１００％以下の範囲としてもよい。
【０１５５】
４）指標に基づく判定
第４の態様では、各環境パラメータ５０の計測値から求められた指標に基づいて環境状態が良好か否かを判定する。指標は、複数（２以上）の環境パラメータ５０の計測値を組み合わせることにより導き出される環境状態を格付けするための値等である。例えば、指標の例として、温度情報および湿度情報に基づいて求められる体感温度を用いて熱中症の発生の危険度を判定する例を説明する。
【０１５６】
熱中症の危険度は、温度だけではなく湿度とも関係しており、米国の国立気象局（Ｎａｔｉｏｎａｌ  Ｗｅａｔｈｅｒ  Ｓｅｒｖｉｃｅ：  ＮＷＳ）が採用している指標であるヒートインデックス（Ｈｅａｔ  Ｉｎｄｅｘ）は、温度と湿度から求められる体感温度である。すなわち、前記体感温度が第４の態様における指標となる。例えば、図１７に例示するヒートインデックスのテーブルを環境パラメータ関連データベースＤＢ６に記憶しておく。ＣＰＵ２１ａは、ヒートインデックスのテーブルにしたがって、各センサから出力された温度情報および湿度情報に基づいて、体感温度を求める。図１７に例示するヒートインデックスのテーブルでは、２６．４℃以下を基準範囲としている。したがって、ＣＰＵ２１ａは、前記求められた体感温度と前記ヒートインデックスのテーブルとを比較（照合）し、前記体感温度が基準値範囲内である場合、環境状態が良好であると判定することができる。また、ＣＰＵ２１ａは、前記体感温度が、基準範囲外である場合、環境状態が良好でないと判定することができる。環境状態が良好でないと判定された場合には、例えば、体感温度を熱中症の発生の危険度に応じて格付けすることができる。さらに、環境状態が「良好」でないと判定された場合には、体感温度を熱中症が発生する環境状態の危険度に応じて格付けすることができる。例えば、図１７に示すヒートインデックスでは、環境状態の危険度が「注意」であると判定される範囲、「特に注意」と判定される範囲、「危険」と判定される範囲、「非常に危険」と判定される範囲を設定している。
【０１５７】
したがって、図１７のテーブルを環境パラメータ関連データベースＤＢ６に記憶しておくことにより、ＣＰＵ２１ａは、環境状態の危険度に応じて、環境状態が「注意」、「特に注意」、「危険」、または「非常に危険」であると判定することができる。
【０１５８】
５）温度情報および湿度情報の経時的計測値に基づく判定
例えば、インフルエンザウイルス感染は、一日のうち、温度３２℃以上かつ湿度５０％以上の状態を数時間保つことにより、発生しにくくなるといわれている。このため、各区画内を一時的にこのような状態に保つことにより、インフルエンザウイルスの感染の拡大を防ぐことができる。本態様においては、このように好ましい環境状態が所定の期間維持されたか否かを環境状態の判定に考慮する。具体的には、経時的に記憶された環境パラメータ５０の計測値に基づいて、各区画の環境状態が良好であるか否かを判定する。ここで、区画内に人物が滞在している場合には、必要に応じて人物を区画外に待避させることができる。
【０１５９】
ＣＰＵ２１ａは、ステップＳ２０４において各センサ６０から出力される環境パラメータ５０の経時的な計測値を取得し、例えば図１６Ｄに示すように記憶部２１ｄまたはＲＡＭ２１ｃに記憶する。ＣＰＵ２１ａは、ステップＳ２０６において、記憶部２１ｄまたはＲＡＭ２１ｃに記憶されている所定期間の計測値において、基準範囲（例えば、温度３２℃以上、かつ湿度５０％以上）外となった時間があるかないかを判定し、基準範囲外となった時間がない場合には、疾病の発生に関連する条件を満たさないと判定することができる。ここで、判定を行う所定の期間は、監視の対象となる疾病に依存する。また、ＣＰＵ２１ａは、ステップＳ２０６において、所定期間内に、基準範囲外となった時間がある場合には、環境状態が良好でなかったと判定することができる。ＣＰＵ２１ａは、ステップＳ２０６において、環境パラメータ５０の計測値から求められる指標をもとめて、前記所定期間内において環境パラメータ５０の指標が基準範囲外となったか否かを判定して、環境状態が良好であったか否かを判定してもよい。
【０１６０】
環境状態が良好でなかったと判定された場合において、環境状態の危険度が「要注意」または「警告」であると判定する範囲については、環境パラメータ５０の計測値または指標がどの程度基準範囲から外れているか、または何回はずれたかに応じて適宜決定することができる。
【０１６１】
上記第１から第３および第５の態様において環境状態が「警告」と判定された場合には、ステップＳ２０８において、ＣＰＵ２１ａは、「警告」を意味する注意通知Ｃ２２１を、注意通知表示データ４０として作成する。室内環境の状態が「要注意」と判定された場合には、ステップＳ２０８において、ＣＰＵ２１ａは、「要注意」を意味する注意通知Ｃ２２２を、注意通知表示データ４０として作成する。また、第４の態様においては、「注意」、「特に注意」、「危険」、「非常に危険」の範囲に応じた注意通知表示データ４０を作成する。
【０１６２】
ステップＳ２１２において、環境の状態が「良好」と判定されている区画については、施設マップ中の対応する区画には、注意通知は表示されない。
【０１６３】
以上、注意通知表示データを生成するための５種類の態様について説明した。なお、注意通知を表示するために、これらの条件のいずれか１つを用いてもよいし、これらの条件から複数を選択して用いてもよい。
【０１６４】
また、前記システムの動作には、任意のステップとして、ステップＳ２０６で区画内の環境状態が良好でないと判定された際に、その区画内の環境状態を良好な状態に戻すためのさらなるステップを含んでいてもよい。このステップは、具体的には施設内または区画内の空調システムまたは照明システム等を制御するための指令を生成し、前記指令を空調システムまたは照明システム等に送信する機能を監視装置２００のＣＰＵ２１ａに実行させるステップである。あるいは、区画内の環境状態を良好な状態に戻すためのさらなるステップは、施設内または区画内の空調システムまたは照明システム等を制御するための指令を生成し、前記指令を空調システムまたは照明システム等に送信する機能をクライアント装置３００のＣＰＵ３１ａに実行させるステップであってもよい。
【０１６５】
［コンピュータプログラム］
本発明の一実施形態は、コンピュータを監視装置２００として機能させるためのコンピュータプログラムに関する。
【０１６６】
本実施形態におけるコンピュータプログラムは、少なくとも、クライアント装置３００からの要求に応じて、図１５に示したステップＳ２０３からステップＳ２０９の処理を監視装置２００の制御部２１ａに実行させ、注意通知表示データを生成させる。さらに本実施態様におけるコンピュータプログラムは、図１１に示したステップＳ１０３からステップＳ１０６の処理を監視装置２００の制御部２１ａに実行させ、マップ表示データを生成させてもよい。
【０１６７】
また、前記プログラムは、任意のステップとして、ステップＳ２０６で区画内の環境状態が良好でないと判定された際に、その区画内の環境状態を良好な状態に戻すためのさらなるステップを含んでいてもよい。このステップは、具体的には施設内または区画内の空調システムまたは照明システム等を制御するための指令を生成し、前記指令を空調システムまたは照明システム等に送信する機能を監視装置２００のＣＰＵ２１ａに実行させるステップである。
【０１６８】
本実施形態に係るコンピュータプログラムは、ハードディスク、フラッシュメモリ等の半導体メモリ素子、光ディスク等の記憶媒体に記憶されていてもよい。前記記憶媒体へのプログラムの記憶形式は、前記情報取得装置が前記プログラムを読み取り可能である限り制限されない。前記記憶媒体への記憶は、不揮発性であることが好ましい。
【０１６９】
［施設内監視方法］
本実施形態は、施設内監視方法に関する。前記方法は、施設内に配置された複数の区画毎に設けられたセンサから取得される、環境パラメータの計測値に基づいて、区画配置図に、各区画における環境状態を識別可能に表示させるための表示データを生成する工程を含む。また、前記区画配置図に、前記環境状態を識別可能に表示する工程を含んでいてもよい。
【０１７０】
また、本実施形態は、前記表示データを生成する前に、施設内に配置された複数の区画毎に、前記区画内の環境を把握するための環境パラメータの計測値を取得する工程を含んでいてもよい。また、前記区画配置図に、前記環境パラメータの計測値が基準範囲外の区画を、識別可能に表示してもよい。
【０１７１】
本実施形態において、環境パラメータの計測値は、上述のセンサから取得することができる。また、本実施態様は、前記取得工程の後、かつ前記表示工程の前に、各区画について前記環境パラメータの計測値が基準範囲外か否かを判定する工程を含んでいてもよい。
【０１７２】
さらに本実施形態においては、前記環境状態の判定例にしたがって、前記環境パラメータの計測値が基準範囲外か否かを判定することができる。
【０１７３】
前記［発明の概要］、［システムの構成］、［システムの動作］等の項における本発明に関する説明は、全てここに援用される。
［その他の態様］
以上、本発明を特定の実施形態によって説明したが、本発明は上記した実施形態に限定されるものではない。
【０１７４】
上記実施形態では、施設内監視システム１００は、監視装置２００とクライアント装置とが通信ネットワークを介して互いに接続されたシステムとして構成されているが、施設内監視システム１００の構成はこれに限定されない。施設内監視システム１００は、監視装置２００とクライアント装置３００とが一体化した構成であってもよい。
【０１７５】
上記実施形態では、監視装置２００は一体の装置として実現されているが、監視装置２００は一体の装置である必要はない。監視装置２００は、ＣＰＵ２１ａ、ＲＡＭ２１ｃ、記憶部２１ｄ等が別所に配置され、これらが通信ネットワークを介して接続された分散型の装置として実現されてもよい。クライアント装置３００についても同様に、クライアント装置３００は一体の装置である必要はない。クライアント装置３００は、ＣＰＵ３１ａ、ＲＡＭ３１ｃ、記憶部３１ｄ、表示部３２および入力部３３等が別所に配置され、これらが通信ネットワークを介して接続された分散型の装置として実現されてもよい。すなわち施設内監視システム１００は、監視装置２００の制御部と、クライアント装置３００の表示部３２とを備える分散型のシステムとして実現されてもよい。
【０１７６】
上記実施形態では、監視装置２００は単一のＣＰＵ２１ａにより処理を実行しているがこれに限定されない。監視装置２００は、複数のＣＰＵにより処理を分散して実行してもよい。クライアント装置３００についても同様に、クライアント装置３００は、複数のＣＰＵにより処理を分散して実行してもよい。
【０１７７】
上記実施形態では、クライアント装置３００は据え置き型のコンピュータによって実現されているがこれに限定されない。クライアント装置３００は、例えばスマートフォン、タブレット装置、ラップトップ・コンピュータ等の携帯型のコンピュータとして実現されてもよい。
【０１７８】
上記実施形態では、１台のクライアント装置３００が施設内監視システム１００に備えられているがこれに限定されない。複数のクライアント装置３００が、例えば病院内のフロア毎に（例えば、ナースステーション毎に）配置されていてもよい。無線装置７０についても同様に、複数の無線装置７０が、例えば病院内のフロア毎に（例えば、病室毎に）配置されていてもよい。
【０１７９】
上記実施形態では、注意通知を表示する処理のステップＳ２０５において、監視装置２００は、取得した環境パラメータの計測値または前記計測値から求められた指標に基づいて環境状態を判定しているが、本発明の実施形態はこれに限定されない。例えば、センサ６０における実測値を施設外部の気温および湿度、計測時の季節、気象状況、時刻等に応じて補正し、補正後の環境パラメータの計測値に基づいて、基準範囲と比較してもよい。例えば通信ネットワーク８０を介して、気象庁のデータサーバから気象状況のデータを取り込んで補正に使用することもできる。また、実測値を補正するのにかえて、施設外部の気温および湿度、計測時の季節、気象状況、時刻等に応じて基準範囲を補正してもよい。このような補正処理をいつ行うかについては、処理を行う日時を監視装置２００の記憶部２１ｄに予め記憶していてもよい。環境パラメータの計測を行う日時、期間、時間間隔は、インフルエンザが流行する時期、熱中症が発生する時期、および真菌の繁殖が盛んになる時期等を考慮して決定することができる。例えば日本では、３月から５月の間と９月から１０月の間とは、４８時間周期でスケジューリングし、１１月から２月の間は２４時間周期でスケジューリングし、６月から８月の間は４８時間以上の周期でスケジューリングすればよい。
【０１８０】
上記実施形態では、注意通知Ｃ２２１，Ｃ２２２が示す注意喚起レベルを、円形枠に囲まれた感嘆符で表示していたが、注意喚起レベルの表示態様はこれに限定されない。感嘆符の代わりに、星印などの他のマークを用いて注意喚起レベルを表示してもよい。さらに、マークだけでなく、色、アイコン、文字、または数値を用いて注意喚起レベルを表示してもよい。特に携帯端末４００の表示部４２に注意通知を表示するときには、注意喚起レベルをメッセージで表示してもよい。さらに前記メッセージには、環境状態が良好でない区画を特定する情報、および／または基準範囲外となった環境パラメータの項目を表示させてもよい。
【０１８１】
上記実施形態では、注意通知は、監視対象であるインフルエンザウイルス等のウイルスに対する罹患しやすさ、真菌または細菌の繁殖し易さ、および熱中症の発症しやすさを区別せずに表示されているが、これに限定されない。例えば、注意通知を感嘆符および色を組み合わせたアイコンで構成することにより、複数の監視対象を区別して表示してもよい。また、図１８に示すように、注意通知をマウスでポイントしたときに、環境パラメータのいずれの項目が基準範囲となっているか、表示されるようにしてもよい。
【０１８２】
上記実施形態では、監視装置２００のＣＰＵ２１ａは、ステップＳ２０８において、各センサ６０について注意通知表示データ４０を作成しているが、これに限定されない。監視装置２００は、注意通知表示データ４０の送信に代えて、環境状態の判定結果をクライアント装置３００に送信してもよい。この場合、クライアント装置３００は、記憶部３１ｄに注意通知表示データ４０を予め記録しておき、受信した環境状態の判定結果に応じて、注意通知表示データ４０を適宜選択して、施設マップに表示する。
【０１８３】
上記実施形態では、施設マップには、アイコンで注意通知Ｃ２２１，Ｃ２２２が表示されているが、施設マップに注意通知を表示する態様はこれに限定されない。アイコンの表示に代えて、例えば、注意通知の表示が必要なフロア情報Ｇ２０７、区画情報Ｇ３０７、および入院患者情報Ｇ４０７の表示態様を変化させることにより、注意通知を表示してもよい。注意通知を表示する態様としては、例えば、表示する色の濃淡を用いて表示する態様、特定の色を用いて表示する態様、特定のマーク、文字、音、振動、表示の点滅、およびアイコンの動的な表示変化等の種々の態様がある。
【０１８４】
上記実施形態では、施設マップに注意通知Ｃ２２１，Ｃ２２２を表示することにより、室内環境の状態を表しているが、これに限定されない。
【０１８５】
上記実施形態では、センサ６０が所定の時間間隔で環境パラメータを計測し、監視装置２００が、施設マップの表示内容および注意通知の表示内容を自動的に更新しているが、前記所定の時間間隔は特に限定されない。例えば、標準的な時間間隔を１０分に設定し、高齢の患者や乳幼児の患者が入院している区画については、時間間隔をより短く設定してもよい。患者の年齢は、監視装置２００を電子カルテシステムに接続することにより、施設に既存する電子カルテシステムから取得できる。
【符号の説明】
【０１８６】
３２  表示部
４０  表示データ
６０  センサ
２１ａ  制御部
２１ｄ  記憶部
５０  環境パラメータ
１００  施設内監視システム
２００  施設内監視装置
３００  クライアント装置
４００  携帯端末
【図１】
2019079136.tif 000003
【図２】
2019079136.tif 000004
【図３】
2019079136.tif 000005
【図４】
2019079136.tif 000006
【図５】
2019079136.tif 000007
【図６】
2019079136.tif 000008
【図７】
2019079136.tif 000009
【図８】
2019079136.tif 000010
【図９】
2019079136.tif 000011
【図１０】
2019079136.tif 000012
【図１１】
2019079136.tif 000013
【図１２】
2019079136.tif 000014
【図１３】
2019079136.tif 000015
【図１４】
2019079136.tif 000016
【図１５】
2019079136.tif 000017
【図１６】
2019079136.tif 000018
【図１７】
2019079136.tif 000019
【図１８】
2019079136.tif 000020
【図１９】
2019079136.tif 000021
【図２０】
2019079136.tif 000022